(57)【要約】【課題】広い画角と高い変倍比を有し、光学系の全長が短く、諸収差が良好に補正されたズームレンズ及びそれを備えた撮像装置を提供する。【解決手段】ズームレンズは、物体側より順に、負屈折力の第１レンズ群と、正屈折力の第２レンズ群と、正屈折力の第３レンズ群と、正屈折力の第４レンズ群と、からなり、各レンズ群は、レンズ成分を有し、第１レンズ群は、負レンズ成分を少なくとも２つ含み、第３レンズ群のレンズ枚数は、第２レンズ群内のレンズ枚数よりも多く、広角端から望遠端への変倍に際して、各レンズ群の間隔は変化すると共に、第１レンズ群は、像側に移動した後、物体側へ移動し、無限遠物体に合焦した状態での変倍では、第２レンズ群と第３レンズ群との間隔が、広角端において最も広くなることを特徴とする。【選択図】図１
2019174714.tif 000002
【特許請求の範囲】
【請求項１】
物体側より順に、
負屈折力の第１レンズ群と、
正屈折力の第２レンズ群と、
正屈折力の第３レンズ群と、
正屈折力の第４レンズ群と、からなり、
各レンズ群は、レンズ成分を有し、
前記第１レンズ群は、負レンズ成分を少なくとも２つ含み、
前記第３レンズ群のレンズ枚数は、前記第２レンズ群内のレンズ枚数よりも多く、
広角端から望遠端への変倍に際して、前記各レンズ群の間隔は変化すると共に、前記第１レンズ群は、像側に移動した後、物体側へ移動し、
無限遠物体に合焦した状態での変倍では、前記第２レンズ群と前記第３レンズ群との間隔が、広角端において最も広くなることを特徴とするズームレンズ。
ここで、前記レンズ成分は、単レンズまたは接合レンズであって、空気接触する光学有効面が２面のレンズである。
【請求項２】
以下の条件式（１）を満足することを特徴とする請求項１に記載のズームレンズ。
１．５＜Ｄ23W／Ｄ23T＜１００      （１）
ここで、
Ｄ23Wは、無限遠物体合焦時の広角端における前記第２レンズ群と前記第３レンズ群との間隔、
Ｄ23Tは、無限遠物体合焦時の望遠端における前記第２レンズ群と前記第３レンズ群との間隔、
である。
【請求項３】
前記第３レンズ群のレンズ枚数は、前記第２レンズ群のレンズ枚数よりも２枚以上多いことを特徴とする請求項１に記載のズームレンズ。
【請求項４】
前記第１レンズ群は、負屈折力の第１レンズ成分と、負屈折力の第２レンズ成分と、第３レンズ成分と、を含み、
前記第１レンズ成分は、最も物体側に配置され、
前記第２レンズ成分は、前記第１レンズ成分に隣接して配置され、
以下の条件式（２）を満足することを特徴とする請求項１に記載のズームレンズ。
１．７＜ＤＬ23／ＤＬ12＜１００      （２）
ここで、
ＤＬ12は、前記第１レンズ成分と前記第２レンズ成分との間隔、
ＤＬ23は、前記第２レンズ成分と前記第３レンズ成分との間隔、
である。
【請求項５】
前記第１レンズ群は、負屈折力の第１レンズ成分と、負屈折力の第２レンズ成分と、第３レンズ成分と、を含み、
前記第１レンズ成分は、最も物体側に配置され、
前記第２レンズ成分は、前記第１レンズ成分に隣接して配置され、
前記第３レンズ成分は、接合レンズからなることを特徴とする請求項１に記載のズームレンズ。
【請求項６】
前記第３レンズ成分は、物体側から、負レンズと、正レンズと、からなり、
以下の条件式（３）を満足することを特徴とする請求項５に記載のズームレンズ。
−１００＜（Ｒ13a＋Ｒ13b）／（Ｒ13a−Ｒ13b）＜２      （３）
ここで、
Ｒ13aは、前記第３レンズ成分の最も物体側の面の近軸曲率半径、
Ｒ13bは、前記第３レンズ成分の最も像側の面の近軸曲率半径、
である。
【請求項７】
前記第１レンズ群は、負屈折力の第１レンズ成分を含み、
前記第１レンズ成分は、最も物体側に配置され、
以下の条件式（４）を満足することを特徴とする請求項１に記載のズームレンズ。
１＜（Ｒ11a＋Ｒ11b）／（Ｒ11a−Ｒ11b）＜３      （４）
ここで、
Ｒ11aは、前記第１レンズ成分の最も物体側の面の近軸曲率半径、
Ｒ11bは、前記第１レンズ成分の最も像側の面の近軸曲率半径、
である。
【請求項８】
前記第３レンズ群の正レンズの枚数は４枚以下であり、
以下の条件式（５）を満足することを特徴とする請求項１に記載のズームレンズ。
０．４＜Ｄ31／ｆw＜２      （５）
ここで、
Ｄ31は、前記第３レンズ群の最も物体側のレンズ成分の光軸上での厚さ、
ｆwは、無限遠物体合焦時の広角端における前記ズームレンズの焦点距離、
である。
【請求項９】
前記第３レンズ群の正レンズの枚数は５枚以下であり、
前記第３レンズ群は、正屈折力の物体側レンズ成分と、正屈折力の像側レンズ成分と、を有し、
前記物体側レンズ成分は、最も物体側に配置され、
前記像側レンズ成分は、前記物体側レンズ成分に隣接して配置され、
以下の条件式（６）を満足することを特徴とする請求項１に記載のズームレンズ。
０．５＜（Ｄ31＋Ｄ32）／ｆw＜２．５      （６）
ここで、
Ｄ31は、前記物体側レンズ成分の光軸上での厚さ、
Ｄ32は、前記像側レンズ成分の光軸上での厚さ、
ｆwは、無限遠物体合焦時の広角端における前記ズームレンズの焦点距離、
である。
【請求項１０】
変倍時に、前記第４レンズ群は固定されていることを特徴とする請求項１に記載のズームレンズ。
【請求項１１】
前記第１レンズ群は、負屈折力の第１レンズ成分と、負屈折力の第２レンズ成分と、を含み、
前記第１レンズ成分は、最も物体側に配置され、
前記第２レンズ成分は、前記第１レンズ成分に隣接して配置され、
以下の条件式（７）を満足することを特徴とする請求項１に記載のズームレンズ。
０＜ｆ11／ｆ12＜２      （７）
ここで、
ｆ11は、前記第１レンズ成分の焦点距離、
ｆ12は、前記第２レンズ成分の焦点距離、
である。
【請求項１２】
前記第１レンズ群は、物体側から順に、負屈折力の第１レンズ成分と、負屈折力の第２レンズ成分と、第３レンズ成分と、を含み、
前記第１レンズ成分は、最も物体側に配置され、
前記第２レンズ成分は、前記第１レンズ成分に隣接して配置され、
前記第３レンズ成分は、前記第２レンズ成分に隣接して配置され、
以下の条件式（８）を満足することを特徴とする請求項１に記載のズームレンズ。
−５＜（Ｒ12b＋Ｒ13a）／（Ｒ12b−Ｒ13a）＜０      （８）
ここで、
Ｒ12bは、前記第２レンズ成分の最も像側の面の近軸曲率半径、
Ｒ13aは、前記第３レンズ成分の最も物体側の面の近軸曲率半径、
である。
【請求項１３】
無限遠物体から近距離物体へのフォーカシングに際して、前記第２レンズ群が光軸に沿って像側へ移動することを特徴とする請求項１に記載のズームレンズ。
【請求項１４】
以下の条件式（９）を満足することを特徴とする請求項１に記載のズームレンズ。
−１００＜（Ｒ2a＋Ｒ2b）／（Ｒ2a−Ｒ2b）＜１      （９）
ここで、
Ｒ2aは、前記第２レンズ群の最も物体側の面の近軸曲率半径、
Ｒ2bは、前記第２レンズ群の最も像側の面の近軸曲率半径、
である。
【請求項１５】
以下の条件式（１０）を満足することを特徴とする請求項１に記載のズームレンズ。
−1＜β2w×β3w＜−０．５      （１０）
ここで、
β2wは、無限遠物体合焦時の広角端における前記第２レンズ群の横倍率、
β3wは、無限遠物体合焦時の広角端における前記第３レンズ群の横倍率、
である。
【請求項１６】
以下の条件式（１１）を満足することを特徴とする請求項１に記載のズームレンズ。
−３＜β2t×β3t＜−１．５      （１１）
ここで、
β2tは、無限遠物体合焦時の望遠端における前記第２レンズ群の横倍率、
β3tは、無限遠物体合焦時の望遠端における前記第３レンズ群の横倍率、
である。
【請求項１７】
以下の条件式（１２）を満足することを特徴とする請求項１に記載のズームレンズ。
−０．４＜β3w＜０      （１２）
ここで、
β3wは、無限遠物体合焦時の広角端における前記第３レンズ群の横倍率、
である。
【請求項１８】
以下の条件式（１３）を満足することを特徴とする請求項１に記載のズームレンズ。
２＜β3t／β3w＜２０      （１３）
ここで、
β3wは、無限遠物体合焦時の広角端における前記第３レンズ群の横倍率、
β3tは、無限遠物体合焦時の望遠端における前記第３レンズ群の横倍率、
である。
【請求項１９】
少なくとも１つのレンズ群が、３枚のレンズからなる接合レンズを含むことを特徴とする請求項１に記載のズームレンズ。
【請求項２０】
前記第３レンズ群は、所定の接合レンズを１つのみ含み、
前記所定の接合レンズは、物体側から順に、正レンズと、負レンズと、正レンズと、からなることを特徴とする請求項１９に記載のズームレンズ。
【請求項２１】
前記所定の接合レンズは、第１レンズと、第２レンズと、を有し、
前記第１レンズは、最も物体側に位置し、
前記第２レンズは、前記第１レンズに隣接し、
以下の条件式（１４）を満足することを特徴とする請求項１９に記載のズームレンズ。
０．０５＜ｎｄ2−ｎｄ1＜１      （１４）
ここで、
ｎｄ1は、前記第１レンズのｄ線での屈折率、
ｎｄ2は、前記第２レンズのｄ線での屈折率、
である。
【請求項２２】
前記所定の接合レンズは、第２レンズと、第３レンズと、を有し、
前記第３レンズは、前記第２レンズに隣接し、
以下の条件式（１５）を満足することを特徴とする請求項１９に記載のズームレンズ。
０．０５＜ｎｄ2−ｎｄ3＜１      （１５）
ここで、
ｎｄ2は、前記第２レンズのｄ線での屈折率、
ｎｄ3は、前記第３レンズのｄ線での屈折率、
である。
【請求項２３】
前記接合レンズは、物体側から順に、物体側の接合面と、像側の接合面と、を有し、
以下の条件式（１６）を満足することを特徴とする請求項１９に記載のズームレンズ。
−２＜ｆw／Ｒ3ca＜０      （１６）
ここで、
Ｒ3caは、前記物体側の接合面の近軸曲率半径、
ｆwは、無限遠物体合焦時の広角端における前記ズームレンズの焦点距離、
である。
【請求項２４】
前記接合レンズは、物体側から順に、物体側の接合面と、像側の接合面を有し、
以下の条件式（１７）を満足することを特徴とする請求項１９に記載のズームレンズ。
０＜ｆw／Ｒ3cb＜１      （１７）
ここで、
Ｒ3cbは、前記像側の接合面の近軸曲率半径、
ｆwは、無限遠物体合焦時の広角端における前記ズームレンズの焦点距離、
である。
【請求項２５】
前記接合レンズは、物体側から順に、物体側の接合面と、像側の接合面と、を有し、
以下の条件式（１８）を満足することを特徴とする請求項１９に記載のズームレンズ。
−１＜（Ｒ3ca＋Ｒ3cb）／（Ｒ3ca−Ｒ3cb）＜０．５      （１８）
ここで、
Ｒ3caは、前記物体側の接合面の近軸曲率半径、
Ｒ3cbは、前記像側の接合面の近軸曲率半径、
である。
【請求項２６】
以下の条件式（１９）を満足することを特徴とする請求項１に記載のズームレンズ。
−１００＜（Ｒ4a＋Ｒ4b）／（Ｒ4a−Ｒ4b）＜１００      （１９）
ここで、
Ｒ4aは、前記第４レンズ群の最も物体側の面の近軸曲率半径、
Ｒ4bは、前記第４レンズ群の最も像側の面の近軸曲率半径、
である。
【請求項２７】
前記第３レンズ群の最も像側のレンズは正屈折力を有し、
前記第４レンズ群は２枚以上のレンズからなることを特徴とする請求項２６に記載のズームレンズ。
【請求項２８】
以下の条件式（２０）を満足することを特徴とする請求項１に記載のズームレンズ。
１．１＜Ｄ12W／Ｄ12T＜１００      （２０）
ここで、
Ｄ12Wは、無限遠物体合焦時の広角端における前記第１レンズ群と前記第２レンズ群の間隔、
Ｄ12Tは、無限遠物体合焦時の望遠端における前記第１レンズ群と前記第２レンズ群の間隔、
である。
【請求項２９】
前記第１レンズ群は、物体側に凹面を向けた所定のレンズを有し、
前記所定のレンズより像側に配置された正屈折力のレンズは１枚であることを特徴とする請求項１に記載のズームレンズ。
【請求項３０】
以下の条件式（２１）を満足することを特徴とする請求項１に記載のズームレンズ。
１．１＜β2t＜１００      （２１）
ここで、
β2tは、無限遠物体合焦時の望遠端における前記第２レンズ群の横倍率、
である。
【請求項３１】
以下の条件式（２２）を満足することを特徴とする請求項１に記載のズームレンズ。
０．１＜（β2w／β2t）／ｚ＜１．７      （２２）
ここで、
β2wは、無限遠物体合焦時の広角端における前記第２レンズ群の横倍率、
β2tは、無限遠物体合焦時の望遠端における前記第２レンズ群の横倍率、
ｚは、変倍比、
である。
【請求項３２】
前記第１レンズ群が３枚以上の負レンズを有することを特徴とする請求項１に記載のズームレンズ。
【請求項３３】
以下の条件式（２３）を満足することを特徴とする請求項１に記載のズームレンズ。
１＜Ｓｋｗ／ｆw＜３      （２３）
ここで、
Ｓｋｗは、広角端における前記ズームレンズのバックフォーカス、
ｆwは、無限遠物体合焦時の広角端における前記ズームレンズの焦点距離、
である。
【請求項３４】
光学系と、
撮像面を持ち、且つ前記光学系により撮像面上に形成された像を電気信号に変換する撮像素子と、を有し、
前記光学系が請求項１に記載のズームレンズであることを特徴とする撮像装置。
【発明の詳細な説明】
【技術分野】
【０００１】
本発明は、ズームレンズ及びそれを備えた撮像装置に関する。
【背景技術】
【０００２】
電子撮像素子を用いた撮像装置として、デジタルスチルカメラ、例えば、デジタル一眼レフカメラや、ミラーレス一眼カメラが知られている。ミラーレス一眼カメラは、デジタル一眼レフカメラと同様に、レンズ交換ができるカメラである。ただし、ミラーレス一眼カメラは、デジタル一眼レフカメラとは異なり、クイックリターンミラーを持たない。近年、ミラーレス一眼カメラが急速に普及している。
【０００３】
ミラーレス一眼カメラでは、様々な種類のレンズが使用できる。その１つに、ズームレンズがある。ズームレンズには、高い光学性能を持つことに加え、変倍比が高く、小型で軽量であることが要求されている。
【０００４】
特に広角ズームレンズには、より広範囲の撮影ができるという利点や、遠近感が誇張できる効果が強くなるという利点がある。そのため、広角ズームレンズでは、広角端での画角がより広い方が望ましい。
【０００５】
小型化に適した広角ズームレンズとして、ネガティブリードタイプのズームレンズが知られている。ネガティブリードタイプのズームレンズでは、最も物体側に負の屈折力のレンズ群が配置されている。特許文献１〜３には、ネガティブリードタイプのズームレンズが開示されている。
【０００６】
特許文献１と特許文献２には、４つのレンズ群を有するズームレンズが開示されている。ズームレンズは、物体側から順に、負の屈折力の第１レンズ群と、正の屈折力の第２レンズ群と、正の屈折力の第３レンズ群と、正の屈折力の第４レンズ群と、からなる。変倍時、各レンズ群が移動する。広角端での画角が１００度を超え、変倍比は２程度である。
【０００７】
特許文献３には、５つのレンズ群を有するズームレンズが開示されている。ズームレンズは、物体側から順に、負の屈折力の第１レンズ群と、正の屈折力の第２レンズ群と、正の屈折力の第３レンズ群と、負の屈折力の第４レンズ群と、正の屈折力の第５レンズ群と、からなる。変倍時、各レンズ群が移動する。広角端での画角は１００度未満で、変倍比は３程度である。              
【先行技術文献】
【特許文献】
【０００８】
【特許文献１】特開２０１０−１７６０９８号公報
【特許文献２】特開２０１７−１２２７４３号公報
【特許文献３】特開２０１３−５０６７４号公報
【発明の概要】
【発明が解決しようとする課題】
【０００９】
特許文献１のズームレンズでは、広角端から望遠端への変倍時、第１レンズ群が常に像側に移動する。この場合、変倍比を高くすると、特に広角端での光学系の全長が長くなり易い。よって、光学系の全長の短縮に不利である。
【００１０】
特許文献２のズームレンズでは、第２レンズ群と第３レンズ群との間隔が、望遠端よりも広角端で狭くなっている。そのため、変倍比をより高くした際に、変倍時の非点収差の変動を抑えきることができない。
【００１１】
特許文献３のズームレンズでは、広角端での画角が８８度程度なので、画角が小さい。広角端での画角を大きくしようとすると、変倍時の歪曲収差の変動や非点収差の変動を抑えられなくなってしまう。また、レンズ群の数が５つなので、光学系の全長が長い。
【００１２】
本発明は、このような課題に鑑みてなされたものであって、広い画角と高い変倍比を有し、光学系の全長が短く、諸収差が良好に補正されたズームレンズ及びそれを備えた撮像装置を提供することを目的とする。
【課題を解決するための手段】
【００１３】
上述した課題を解決し、目的を達成するために、本発明の少なくとも幾つかの実施形態に係るズームレンズは、
物体側より順に、
負屈折力の第１レンズ群と、
正屈折力の第２レンズ群と、
正屈折力の第３レンズ群と、
正屈折力の第４レンズ群と、からなり、
各レンズ群は、レンズ成分を有し、
第１レンズ群は、負レンズ成分を少なくとも２つ含み、
第３レンズ群のレンズ枚数は、第２レンズ群内のレンズ枚数よりも多く、
広角端から望遠端への変倍に際して、各レンズ群の間隔は変化すると共に、第１レンズ群は、像側に移動した後、物体側へ移動し、
無限遠物体に合焦した状態での変倍では、第２レンズ群と第３レンズ群との間隔が、広角端において最も広くなることを特徴とする。
ここで、レンズ成分は、単レンズまたは接合レンズであって、空気接触する光学有効面が２面のレンズである。
【００１４】
また、本発明の少なくとも幾つかの実施形態に係る撮像装置は、
光学系と、
撮像面を持ち、且つ光学系により撮像面上に形成された像を電気信号に変換する撮像素子と、を有し、
光学系が上述のズームレンズであることを特徴とする。
【発明の効果】
【００１５】
本発明によれば、広い画角と高い変倍比を有し、光学系の全長が短く、諸収差が良好に補正されたズームレンズ及びそれを備えた撮像装置を提供することができる。
【図面の簡単な説明】
【００１６】
【図１】実施例１に係るズームレンズのレンズ断面図である。
【図２】実施例２に係るズームレンズのレンズ断面図である。
【図３】実施例３に係るズームレンズのレンズ断面図である。
【図４】実施例４に係るズームレンズのレンズ断面図である。
【図５】実施例５に係るズームレンズのレンズ断面図である。
【図６】実施例６に係るズームレンズのレンズ断面図である。
【図７】実施例７に係るズームレンズのレンズ断面図である。
【図８】実施例８に係るズームレンズのレンズ断面図である。
【図９】実施例９に係るズームレンズのレンズ断面図である。
【図１０】実施例１０に係るズームレンズのレンズ断面図である。
【図１１】実施例１１に係るズームレンズのレンズ断面図である。
【図１２】実施例１２に係るズームレンズのレンズ断面図である。
【図１３】実施例１３に係るズームレンズのレンズ断面図である。
【図１４】実施例１に係るズームレンズの収差図である。
【図１５】実施例２に係るズームレンズの収差図である。
【図１６】実施例３に係るズームレンズの収差図である。
【図１７】実施例４に係るズームレンズの収差図である。
【図１８】実施例５に係るズームレンズの収差図である。
【図１９】実施例６に係るズームレンズの収差図である。
【図２０】実施例７に係るズームレンズの収差図である。
【図２１】実施例８に係るズームレンズの収差図である。
【図２２】実施例９に係るズームレンズの収差図である。
【図２３】実施例１０に係るズームレンズの収差図である。
【図２４】実施例１１に係るズームレンズの収差図である。
【図２５】実施例１２に係るズームレンズの収差図である。
【図２６】実施例１３に係るズームレンズの収差図である。
【図２７】撮像装置の断面図である。
【図２８】撮像装置の前方斜視図である。
【図２９】撮像装置の後方斜視図である。
【図３０】撮像装置の主要部の内部回路の構成ブロック図である。
【発明を実施するための形態】
【００１７】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１８】
本実施形態のズームレンズは、物体側より順に、負屈折力の第１レンズ群と、正屈折力の第２レンズ群と、正屈折力の第３レンズ群と、正屈折力の第４レンズ群と、からなり、各レンズ群は、レンズ成分を有し、第１レンズ群は、負レンズ成分を少なくとも２つ含み、第３レンズ群のレンズ枚数は、第２レンズ群内のレンズ枚数よりも多く、広角端から望遠端への変倍に際して、各レンズ群の間隔は変化すると共に、第１レンズ群は、像側に移動した後、物体側へ移動し、無限遠物体に合焦した状態での変倍では、第２レンズ群と第３レンズ群との間隔が、広角端において最も広くなることを特徴とする。ここで、レンズ成分は、単レンズまたは接合レンズであって、空気接触する光学有効面が２面のレンズである。
【００１９】
従来の広角ズームレンズとして、負屈折力の第１レンズ群と、正屈折力の第２レンズ群と、からなる広角ズームレンズが知られている。本実施形態のズームレンズは、この従来の広角ズームレンズに、正屈折力のレンズ群を２つ追加したものである。
【００２０】
一方の正屈折力のレンズ群は、従来の広角ズームレンズにおける最も像側に追加されている。他方の正屈折力のレンズ群は、従来の広角ズームレンズにおける第１レンズ群と第２レンズ群との間に追加されている。その結果、本実施形態のズームレンズでは、屈折力の並びが、物体側より順に、負屈折力、正屈折力、正屈折力、正屈折力となっている。
【００２１】
本実施形態のズームレンズでは、第２レンズ群と第４レンズ群が、追加された２つのレンズ群に対応している。第２レンズ群は、従来の広角ズームレンズにおいて、第１レンズ群と第２レンズ群との間に追加されたレンズ群である。第４レンズ群は、従来の広角ズームレンズにおいて、最も像側に追加されたレンズ群である。
【００２２】
第４レンズ群が追加されたことで、本実施形態のズームレンズでは、光学系の全系の焦点距離を短くすることと、諸収差を良好に補正することの両立が可能になった。ここでの諸収差は、従来の広角ズームレンズの第１レンズ群で補正しきれなかった収差で、具体的には、色収差やペッツバール和である。
【００２３】
第１レンズ群、第２レンズ群、第３レンズ群、及び第４レンズ群は、各々、レンズ成分を有する。レンズ成分は、単レンズまたは接合レンズであって、空気接触する光学有効面が２面のレンズである。
【００２４】
第１レンズ群は、負レンズ成分を少なくとも２つ含む。これにより、収差の発生を抑制しつつ、広い画角を確保できる。
【００２５】
第３レンズ群のレンズ枚数は、第２レンズ群内のレンズ枚数よりも多い。このようにすると、収差の発生を抑制しつつ、第３レンズ群の正屈折力を大きくし易くなる。
【００２６】
第２レンズ群、第３レンズ群、及び第４レンズ群を１つのレンズ群と見なした場合、第１レンズ群の像側に、正屈折力のレンズ群（以下、「所定のレンズ群」という）が位置する。このような構成では、第１レンズ群の主点と所定のレンズ群の主点との間隔は、ズームレンズ全系の焦点距離、広角端における画角、及び変倍比に影響を及ぼす。
【００２７】
第３レンズ群のレンズ枚数が第２レンズ群内のレンズ枚数よりも多い場合、第１レンズ群の主点と所定のレンズ群の主点との間隔が広がる。そのため、ズームレンズ全系の焦点距離を短くし易くなる。また、広角端における画角の確保と変倍比の確保が容易になる。更に、所定のレンズ群の倍率を高め易くなるので、広角端でのズームレンズの全長を短縮できる。
【００２８】
広角端から望遠端への変倍に際して、各レンズ群の間隔は変化する。更に、第１レンズ群は、像側に移動した後、物体側へ移動する。第１レンズ群を往復運動させると、第１レンズ群が常に像側に移動する場合に比べて、所定のレンズ群の倍率が高くなるので、収差補正が難しくなる。
【００２９】
しかしながら、第１レンズ群を往復運動させることは、ズームレンズの全長の短縮や、第１レンズ群の小径化に有利となる。ズームレンズの全長は、特に広角端で長くなり易い。しかしながら、第１レンズ群を往復運動させることで、広角端におけるズームレンズの全長を短縮できる。更に、変倍比の向上にも結びつく。
【００３０】
また、最も物体側に位置するレンズ面から入射瞳までの距離も短くできるので、画角を広げることが容易になる。
【００３１】
第４レンズ群のみを追加した場合、屈折力の並びは、負屈折力、正屈折力、正屈折力になる。この場合、ズームレンズの全長を短縮すると、諸収差の補正が困難になる。そこで、本実施形態のズームレンズでは、第２レンズ群を追加すると共に、第２レンズ群と第３レンズ群との相対的間隔を変化させている。このようにすることで、ズームレンズの全長を短くしても諸収差の補正が可能になる。
【００３２】
変倍比が大きくなるにつれて、特に非点収差の変動に対する補正が困難となる。本実施形態のズームレンズでは、広角端から望遠端への変倍の際に、第２レンズ群と第３レンズ群の間隔を、焦点距離ごとに適切に設定している。
【００３３】
具体的には、無限遠物体に合焦した状態での変倍では、第２レンズ群と第３レンズ群との間隔が、広角端において最も広い。このようにすることで、非点収差の変動を抑制できる。
【００３４】
本実施形態のズームレンズは、以下の条件式（１）を満足することが好ましい。
１．５＜Ｄ23W／Ｄ23T＜１００      （１）
ここで、
Ｄ23Wは、無限遠物体合焦時の広角端における第２レンズ群と第３レンズ群との間隔、
Ｄ23Tは、無限遠物体合焦時の望遠端における第２レンズ群と第３レンズ群との間隔、
である。
【００３５】
値が条件式（１）の上限値を上回る場合、望遠端において第２レンズ群と第３レンズ群とが近づきすぎてしまう。その結果、機械的な干渉が発生し易くなる。また、広角端において、第２レンズ群と第３レンズ群とが離れすぎてしまう。その結果、ズームレンズの全長が長くなってしまう。
【００３６】
値が条件式（１）の下限値を下回る場合、第３レンズ群の移動量を十分に確保できなくなる。その結果、十分な変倍比が確保できなくなってしまう。又は、変倍時の非点収差の変動を第２レンズ群で相殺しきれなくなってしまう。
【００３７】
本実施形態のズームレンズでは、第３レンズ群のレンズ枚数は、第２レンズ群のレンズ枚数よりも２枚以上多いことが好ましい。
【００３８】
本実施形態のズームレンズでは、主な変倍を第１レンズ群と第３レンズ群とで行っている。そのため、第２レンズ群では、主に非点収差を補正することができる。この場合、第３レンズ群のレンズ枚数に対して、第２レンズ群のレンズ枚数を少なくすることで、第１レンズ群と第３レンズ群との間隔が狭くなる。その結果、十分な変倍比を確保できる。
【００３９】
また、第３レンズ群のレンズ枚数が第２レンズ群のレンズ枚数よりも多いと、収差の発生を抑制しつつ、第３レンズ群の屈折力を大きくし易くなる。そのため、ズームレンズの全長を短縮できると共に、第３レンズ群の変倍時の移動量も減らすことができる。
【００４０】
第３レンズ群のレンズ枚数を第２レンズ群のレンズ枚数よりも２枚以上多くすることは、変倍比の確保、ズームレンズの全長の短縮、及び第３レンズ群の変倍時の移動量の低減に有利となる。
【００４１】
本実施形態のズームレンズでは、第１レンズ群は、負屈折力の第１レンズ成分と、負屈折力の第２レンズ成分と、第３レンズ成分と、を含み、第１レンズ成分は、最も物体側に配置され、第２レンズ成分は、第１レンズ成分に隣接して配置され、以下の条件式（２）を満足することが好ましい。
１．７＜ＤＬ23／ＤＬ12＜１００      （２）
ここで、
ＤＬ12は、第１レンズ成分と第２レンズ成分との間隔、
ＤＬ23は、第２レンズ成分と第３レンズ成分との間隔、
である。
【００４２】
値が条件式（２）の上限値を上回る場合、第１レンズ成分における有効径の確保と、第２レンズ成分における有効径の確保とが困難になる。更に、広角側では、像の周辺部において非点収差が悪化する。
【００４３】
非点隔差は各波長で異なる。例えば、ｄ線における非点隔差は、Ｃ線における非点隔差と異なる。この場合、ｄ線とＣ線とで、非点隔差に差が生じる。値が条件式（２）の上限値を上回る場合、波長間での非点隔差の差が大きくなる。
【００４４】
値が条件式（２）の下限値を下回る場合、第１レンズ成分と第２レンズ成分とが離れてしまう。この場合、第１レンズ群の主点位置が像側に移動するので、入射瞳が像側へ移動する。そのため、広い画角の確保が困難になる。または、第１レンズの外径が大きくなる。
【００４５】
更に、サジタル方向の像面湾曲と非点収差が悪化する。非点収差については、波長間での非点隔差の差が大きくなる。
【００４６】
本実施形態のズームレンズでは、第１レンズ群は、負屈折力の第１レンズ成分と、負屈折力の第２レンズ成分と、第３レンズ成分と、を含み、第１レンズ成分は、最も物体側に配置され、第２レンズ成分は、第１レンズ成分に隣接して配置され、第３レンズ成分は、接合レンズからなることが好ましい。
【００４７】
このようにすると、負屈折力のレンズ成分が物体側に２つ配置される。その結果、広い画角の確保と、十分なバックフォーカスの確保とができる。
【００４８】
ただし、負屈折力のレンズ成分を物体側に２つ配置した場合、コマ収差を十分に補正できない。特に、波長間で生じるコマ収差の差を、十分に小さくできない。そこで、第３レンズ成分を配置すると共に、第３レンズ成分を接合レンズにする。このようにすることで、波長間で生じるコマ収差の差を小さくできる。
【００４９】
本実施形態のズームレンズでは、第３レンズ成分は、物体側から、負レンズと、正レンズと、からなり、以下の条件式（３）を満足することが好ましい。
−１００＜（Ｒ13a＋Ｒ13b）／（Ｒ13a−Ｒ13b）＜２      （３）
ここで、
Ｒ13aは、第３レンズ成分の最も物体側の面の近軸曲率半径、
Ｒ13bは、第３レンズ成分の最も像側の面の近軸曲率半径、
である。
【００５０】
値が条件式（３）の上限値を上回る場合、第３レンズ成分の最も像側の面の曲率が小さくなる。第３レンズ成分は接合レンズからなるので、接合レンズの最も像側の面の曲率が小さくなる。この場合、正レンズの屈折力が小さくなるので、第１レンズ群の焦点距離が長くなる。
【００５１】
この場合、広い画角を確保するためには、所定のレンズ群の倍率を低くする必要がある。しかしながら、所定のレンズ群の倍率を低くすると、広角端でのズームレンズの全長が長くなると共に、第１レンズ群の径が大きくなる。
【００５２】
値が条件式（３）の下限値を下回る場合、第３レンズ成分の最も物体側の面に対する軸外光線の入射角が大きくなる。第３レンズ成分は接合レンズからなるので、接合レンズの最も物体側の面に対する軸外光線の入射角が大きくなる。そのため、広角端でのサジタル方向の像面湾曲が悪化してしまう。 
【００５３】
本実施形態のズームレンズでは、第１レンズ群は、負屈折力の第１レンズ成分を含み、第１レンズ成分は、最も物体側に配置され、以下の条件式（４）を満足することが好ましい。
１＜（Ｒ11a＋Ｒ11b）／（Ｒ11a−Ｒ11b）＜３      （４）
ここで、
Ｒ11aは、第１レンズ成分の最も物体側の面の近軸曲率半径、
Ｒ11bは、第１レンズ成分の最も像側の面の近軸曲率半径、
である。
【００５４】
値が条件式（４）の上限値を上回る場合、第１レンズ成分の最も像側の面の曲率が大きくなりすぎる。そのため、第１レンズ成分の製造が困難になる。また、第１レンズ成分では、所定の面上での軸外光線高が高くなりがちなので、第１レンズ成分の径は大きくなり易い。所定の面は、第１レンズ成分の物体側の面の面頂における接平面である。
【００５５】
例えば、第１レンズ成分の物体側には、光学フィルターが配置される。第１レンズ成分の径が大きくなると、光学フィルターの径が大きくなる。光学フィルターは鏡筒で保持される。そのため、鏡筒の径が大きくなり易い。
【００５６】
値が条件式（４）の下限値を下回る場合、第１レンズ成分の最も物体側の面の曲率が小さくなりすぎる。この場合、第１レンズ成分への軸外光線の入射角が大きくなる。そのため、変倍時の歪曲収差変動が大きくなってしまう。
【００５７】
本実施形態のズームレンズでは、第３レンズ群の正レンズの枚数は４枚以下であり、
以下の条件式（５）を満足することが好ましい。
０．４＜Ｄ31／ｆw＜２      （５）
ここで、
Ｄ31は、第３レンズ群の最も物体側のレンズ成分の光軸上での厚さ、
ｆwは、無限遠物体合焦時の広角端におけるズームレンズの焦点距離、
である。
【００５８】
値が条件式（５）の下限値を下回る場合、球面収差の補正とコマ収差の補正との両立が困難になる。値が条件式（５）の上限値を上回る場合、第３レンズ群の厚みが厚くなる。この場合、第３レンズ群用の移動機構が大型化する。そのため、ズームレンズの全長が長くなると共に、光学系の外形が大きくなる。
【００５９】
本実施形態のズームレンズでは、第３レンズ群の正レンズの枚数は５枚以下であり、第３レンズ群は、正屈折力の物体側レンズ成分と、正屈折力の像側レンズ成分と、を有し、物体側レンズ成分は、最も物体側に配置され、像側レンズ成分は、物体側レンズ成分に隣接して配置され、以下の条件式（６）を満足することが好ましい。
０．５＜（Ｄ31＋Ｄ32）／ｆw＜２．５      （６）
ここで、
Ｄ31は、物体側レンズ成分の光軸上での厚さ、
Ｄ32は、像側レンズ成分の光軸上での厚さ、
ｆwは、無限遠物体合焦時の広角端におけるズームレンズの焦点距離、
である。
【００６０】
値が条件式（６）の下限値を下回る場合、球面収差の補正とコマ収差の補正との両立が困難になる。値が条件式（６）の上限値を上回る場合、第３レンズ群の厚みが厚くなる。この場合、第３レンズ群用の移動機構が大型化する。そのため、ズームレンズの全長が長くなると共に、光学系の外形が大きくなる。
【００６１】
本実施形態のズームレンズでは、変倍時に、第４レンズ群は固定されていることが好ましい。
【００６２】
このようにすることで、レンズ群を移動させるための移動機構の数を少なくできる。その結果、移動機構全体として、小型化と軽量化を図ることが容易になる。また、移動機構の数が少なくなることで、耐久性、防塵性、及び防水性をより高めることができる。
【００６３】
本実施形態のズームレンズでは、第１レンズ群は、負屈折力の第１レンズ成分と、負屈折力の第２レンズ成分と、を含み、第１レンズ成分は、最も物体側に配置され、第２レンズ成分は、第１レンズ成分に隣接して配置され、以下の条件式（７）を満足することが好ましい。
０＜ｆ11／ｆ12＜２      （７）
ここで、
ｆ11は、第１レンズ成分の焦点距離、
ｆ12は、第２レンズ成分の焦点距離、
である。
【００６４】
値が条件式（７）の上限値を上回る場合、第２レンズ成分の屈折力に比べて、第１レンズ成分の屈折力が小さくなる。この場合、ズームレンズの入射瞳が、より像側に位置するので、第１レンズの外径が大きくなる。
【００６５】
上述のように、第１レンズ成分の物体側には、必要に応じて、光学フィルターが配置される。第１レンズ成分の径が大きくなると、光学フィルターの径が大きくなる。光学フィルターは鏡筒で保持される。そのため、鏡筒の径が大きくなり易い。
【００６６】
値が条件式（７）の下限値を下回る場合、第１レンズ成分の負屈折力が大きくなる。この場合、第１レンズ成分の最も物体側の面の曲率が大きくなる。その結果、第１レンズ成分の周縁部と第２レンズ成分の周縁部が、干渉しやすくなる。干渉を避けるためには、レンズの径を小さくしなくてはならない。しかしながら、レンズの径を小さくすると、必要な有効径の確保が困難になる。
【００６７】
干渉を避けるためには、第１レンズ成分と第２レンズ成分とを離せば良い。しかしながら、このようにすると、第１レンズ成分を通過する軸外光線の高さが高くなる。その結果、第１レンズの外径が大きくなる。
【００６８】
上述のように、第１レンズ成分の物体側には、必要に応じて、光学フィルターが配置される。第１レンズ成分の径が大きくなると、光学フィルターの径が大きくなる。光学フィルターは鏡筒で保持される。そのため、鏡筒の径が大きくなり易い。
【００６９】
本実施形態のズームレンズでは、第１レンズ群は、物体側から順に、負屈折力の第１レンズ成分と、負屈折力の第２レンズ成分と、第３レンズ成分と、を含み、第１レンズ成分は、最も物体側に配置され、第２レンズ成分は、第１レンズ成分に隣接して配置され、第３レンズ成分は、第２レンズ成分に隣接して配置され、以下の条件式（８）を満足することが好ましい。
−５＜（Ｒ12b＋Ｒ13a）／（Ｒ12b−Ｒ13a）＜０      （８）
ここで、
Ｒ12bは、第２レンズ成分の最も像側の面の近軸曲率半径、
Ｒ13aは、第３レンズ成分の最も物体側の面の近軸曲率半径、
である。
【００７０】
値が条件式（８）の上限値を上回る場合、所定の入射角が小さくなる。この場合、第１レンズ群の球面収差が過剰補正となってしまう。そのため、望遠端における球面収差が補正過剰になってしまう。所定の入射角は、第３レンズ成分の最も物体側の面に入射する軸上マージナル光線の入射角である。
【００７１】
値が条件式（８）の下限値を下回る場合、所定の入射角が大きくなる。この場合、第１レンズ群の球面収差が増大する。特に、望遠端における球面収差が悪化してしまう。
【００７２】
本実施形態のズームレンズでは、無限遠物体から近距離物体へのフォーカシングに際して、第２レンズ群が光軸に沿って像側へ移動することが好ましい。
【００７３】
第２レンズ群のレンズ枚数は、第３レンズ群のレンズ枚数よりも少ない。そのため、第２レンズ群でフォーカシングする方が、第３レンズ群でフォーカシングする場合に比べて、移動させるレンズ群が軽量になる。そのため、合焦速度を高速化しやすくなる。また、第２レンズ群でフォーカシングすると、フォーカシング時の非点収差の変動量を抑えられる。
【００７４】
本実施形態のズームレンズは、以下の条件式（９）を満足することが好ましい。
−１００＜（Ｒ2a＋Ｒ2b）／（Ｒ2a−Ｒ2b）＜１      （９）
ここで、
Ｒ2aは、第２レンズ群の最も物体側の面の近軸曲率半径、
Ｒ2bは、第２レンズ群の最も像側の面の近軸曲率半径、
である。
【００７５】
値が条件式（９）の上限値を上回る場合、変倍時の非点収差の変動、又はフォーカシング時の非点収差の変動が大きくなってしまう。
【００７６】
望遠端では、第２レンズ群と第３レンズ群との間隔が狭くなる。すなわち、第２レンズ群の最も像側のレンズ面と、第３レンズ群の最も物体側のレンズ面とが接近する。値が条件式（９）の下限値を下回る場合、望遠端において、２つのレンズ面が周縁部で接触しやすくなる。接触を避けようとすると、２つのレンズ面の各々で、有効径の確保が困難になる。
【００７７】
本実施形態のズームレンズは、以下の条件式（１０）を満足することが好ましい。
−1＜β2w×β3w＜−０．５      （１０）
ここで、
β2wは、無限遠物体合焦時の広角端における第２レンズ群の横倍率、
β3wは、無限遠物体合焦時の広角端における第３レンズ群の横倍率、
である。
【００７８】
広角端から望遠端への変倍に際して、第１レンズ群は、像側に移動した後、物体側へ移動する。広角端での第１レンズ群の位置は、望遠端での位置に比べて、物体側に位置している。
【００７９】
値が条件式（１０）の上限値を上回る場合、広角端での第１レンズ群の位置が、より物体側に位置する。そのため、広角端でのズームレンズの全長が長くなると共に、第１レンズ群の径が大きくなってしまう。
【００８０】
値が条件式（１０）の下限値を下回る場合、第２レンズ群の倍率が高くなるか、又は第３レンズ群の倍率が高くなる。この場合、第２レンズ群における収差補正の負担と、第３レンズ群における収差補正の負担が、共に増加する。その結果、広角端における諸収差の補正、例えば、球面収差の補正やコマ収差の補正が、少なくとも困難となる。
【００８１】
本実施形態のズームレンズは、以下の条件式（１１）を満足することが好ましい。
−３＜β2t×β3t＜−１．５      （１１）
ここで、
β2tは、無限遠物体合焦時の望遠端における第２レンズ群の横倍率、
β3tは、無限遠物体合焦時の望遠端における第３レンズ群の横倍率、
である。
【００８２】
値が条件式（１１）の上限値を上回ることは、望遠端における外形の小型化や良好な収差補正の面で有利である。しかしながら、変倍比を大きくしていくと、広角端での第１レンズ群の位置が、より物体側に位置する。そのため、広角端でのズームレンズの全長が長くなると共に、第１レンズ群の径が大きくなってしまう。
【００８３】
また、大きな変倍比を確保するためには、広角端での第２レンズ群と第３レンズ群の合成倍率を低くする必要がある。しかしながら、この場合、広角端でのズームレンズの全長が長くなってしまう。
【００８４】
値が条件式（１１）の下限値を下回る場合、第２レンズ群の倍率が高くなるか、又は第３レンズ群の倍率が高くなる。この場合、第２レンズ群における収差補正の負担と、第３レンズ群における収差補正の負担が、共に増加する。その結果、望遠端における諸収差の補正、例えば、球面収差の補正やコマ収差の補正が、少なくとも困難となる。
【００８５】
本実施形態のズームレンズは、以下の条件式（１２）を満足することが好ましい。
−０．４＜β3w＜０      （１２）
ここで、
β3wは、無限遠物体合焦時の広角端における第３レンズ群の横倍率、
である。
【００８６】
値が条件式（１２）の下限値を下回る場合、第３レンズ群の倍率が高くなる。この場合、第３レンズ群における収差補正の負担が増加する。その結果、広角端における諸収差の補正、例えば、球面収差やコマ収差の補正が、少なくとも困難となる。
【００８７】
変倍ついては、第３レンズ群が主に担っている。値が条件式（１２）上限値を上回る場合、第３レンズ群の倍率が低くなる。その結果、広角端での位置が、より物体側に位置する。そのため、広角端でのズームレンズの全長が長くなると共に、第１レンズ群の径が大きくなってしまう。
【００８８】
本実施形態のズームレンズは、以下の条件式（１３）を満足することが好ましい。
２＜β3t／β3w＜２０      （１３）
ここで、
β3wは、無限遠物体合焦時の広角端における第３レンズ群の横倍率、
β3tは、無限遠物体合焦時の望遠端における第３レンズ群の横倍率、
である。
【００８９】
値が条件式（１３）の下限値を下回る場合、第３レンズ群の変倍時の倍率変化が小さくなる。そのため、十分な変倍比の確保が困難になる。
【００９０】
値が条件式（１３）の上限値を上回る場合、第３レンズ群の倍率が高くなる。そのため、変倍時の諸収差の変動量が増加してしまう。特に、球面収差の変動量とコマ収差の変動量が増加する。
【００９１】
本実施形態のズームレンズでは、少なくとも１つのレンズ群が、３枚のレンズからなる接合レンズを含むことが好ましい
【００９２】
各レンズ群は、各々、複数のレンズで構成されることが多い。本実施形態のズームレンズでは、少なくとも１つのレンズ群が、３枚のレンズからなる接合レンズを含む。その結果、少なくとも１つのレンズ群で、全体的な厚みの増大を抑制できる。また、鏡筒機構の大型化や、ゴーストの発生を抑制できる。
【００９３】
３枚のレンズからなる接合レンズは、収差補正能力にも優れている。特に、色収差を良好に補正できると共に、ペッツバール和を小さくできる。それのみならず、その他の残存収差についても、その高次成分を接合レンズで発生させることによって、良好に補正できる。
【００９４】
接合レンズは、４枚以上のレンズでも構成できる。しかしながら、レンズ枚数を多くしたわりには、収差補正の能力はそれほど向上しない。また、増えたレンズの分だけ、レンズ群の厚みも増える。よって、結像性能の向上や小型化については、レンズ枚数の増加に見合うだけの効果は得られない。
【００９５】
本実施形態のズームレンズでは、第３レンズ群は、所定の接合レンズを１つのみ含み、所定の接合レンズは、物体側から順に、正レンズと、負レンズと、正レンズと、からなることが好ましい。
【００９６】
正レンズと負レンズとを接合することで、ペッツバール和や色収差の発生量を小さくできる。また、負レンズの像側に接合レンズが接合されているので、負レンズの各面が空気と接触しない。そのため、広角端において球面収差が補正過剰になることが避けられる。
【００９７】
第３レンズ群が２つ以上の接合レンズを含む場合、第３レンズ群の厚みが厚くなる。そのため、望遠端でのズームレンズの全長が長くなってしまう。
【００９８】
本実施形態のズームレンズでは、所定の接合レンズは、第１レンズと、第２レンズと、を有し、第１レンズは、最も物体側に位置し、第２レンズは、第１レンズに隣接し、以下の条件式（１４）を満足することが好ましい。
０．０５＜ｎｄ2−ｎｄ1＜１      （１４）
ここで、
ｎｄ1は、第１レンズのｄ線での屈折率、
ｎｄ2は、第２レンズのｄ線での屈折率、
である。
【００９９】
値が条件式（１４）の上限値を上回る場合、実在する硝材の中で最も収差補正に有利な硝材を用いても、収差を十分に補正できない。そのため、所望の結像性能を持つ光学系が達成できない。
【０１００】
値が条件式（１４）の下限値を下回る場合、第３レンズ群で生じる収差の補正、例えば、負の球面収差の補正やコマ収差の補正が困難となる。また、変倍時の収差の変動量、例えば、球面収差の変動量やコマ収差の変動量が増大してしまう。
【０１０１】
本実施形態のズームレンズでは、所定の接合レンズは、第２レンズと、第３レンズと、を有し、第３レンズは、第２レンズに隣接し、以下の条件式（１５）を満足することが好ましい。
０．０５＜ｎｄ2−ｎｄ3＜１      （１５）
ここで、
ｎｄ2は、第２レンズのｄ線での屈折率、
ｎｄ3は、第３レンズのｄ線での屈折率、
である。
【０１０２】
値が条件式（１５）の上限値を上回る場合、実在する硝材の中で最も収差補正に有利な硝材を用いても、収差を十分に補正できがない。そのため、所望の結像性能を持つ光学系が達成できない。
【０１０３】
値が条件式（１５）の下限値を下回る場合、第３レンズ群で生じる収差の補正、例えば、負の球面収差の補正やコマ収差の補正が困難となる。また、変倍時の収差の変動量、例えば、球面収差の変動量やコマ収差の変動量が増大してしまう。
【０１０４】
本実施形態のズームレンズでは、接合レンズは、物体側から順に、物体側の接合面と、像側の接合面と、を有し、以下の条件式（１６）を満足することが好ましい。
−２＜ｆw／Ｒ3ca＜０      （１６）
ここで、
Ｒ3caは、物体側の接合面の近軸曲率半径、
ｆwは、無限遠物体合焦時の広角端におけるズームレンズの焦点距離、
である。
【０１０５】
値が条件式（１６）の上限値を上回る場合、第３レンズ群での収差の発生の抑制、例えば、球面収差の発生の抑制やコマ収差の発生の抑制が困難となる。また、変倍時の収差の変動量、例えば、球面収差の変動量やコマ収差の変動量が増大してしまう。
【０１０６】
値が条件式（１６）の下限値を下回る場合、接合面の近軸曲率が大きくなり過ぎてしまう。その結果、接合面で発生する諸収差の量が増大してしまう。
【０１０７】
本実施形態のズームレンズでは、接合レンズは、物体側から順に、物体側の接合面と、像側の接合面を有し、以下の条件式（１７）を満足することが好ましい。
０＜ｆw／Ｒ3cb＜１      （１７）
ここで、
Ｒ3cbは、像側の接合面の近軸曲率半径、
ｆwは、無限遠物体合焦時の広角端におけるズームレンズの焦点距離、
である。
【０１０８】
値が条件式（１７）の上限値を上回る場合、接合面の近軸曲率が大きくなりすぎる。そのため、接合面で発生する諸収差の量が増大してしまう。
【０１０９】
値が条件式（１７）の下限値を下回る場合、第３レンズ群での収差の発生の抑制、例えば、球面収差の発生の抑制やコマ収差の発生の抑制が困難となる。また、変倍時の収差の変動量、例えば、球面収差の変動量やコマ収差の変動量が増大してしまう。
【０１１０】
本実施形態のズームレンズでは、接合レンズ物体側から順に、物体側の接合面と、像側の接合面と、を有し、以下の条件式（１８）を満足することが好ましい。
−１＜（Ｒ3ca＋Ｒ3cb）／（Ｒ3ca−Ｒ3cb）＜０．５      （１８）
ここで、
Ｒ3caは、物体側の接合面の近軸曲率半径、
Ｒ3cbは、像側の接合面の近軸曲率半径、
である。
【０１１１】
値が条件式（１８）の下限値を下回る場合、物体側の接合面の近軸曲率が大きくなる。この場合、接合レンズの厚みが厚くなるので、第３レンズ群の厚みも厚くなる。第３レンズ群の厚みが厚くなると、第３レンズ群用の移動機構が大型化する。そのため、ズームレンズの全長が長くなると共に、光学系の外形が大きくなる。
【０１１２】
値が条件式（１８）の上限値を上回る場合、像側の接合面の近軸曲率が大きくなり過ぎる。その結果、変倍時の球面収差の発生量が増大してしまう。
【０１１３】
本実施形態のズームレンズは、以下の条件式（１９）を満足することが好ましい。
−１００＜（Ｒ4a＋Ｒ4b）／（Ｒ4a−Ｒ4b）＜１００      （１９）
ここで、
Ｒ4aは、第４レンズ群の最も物体側の面の近軸曲率半径、
Ｒ4bは、第４レンズ群の最も像側の面の近軸曲率半径、
である。
【０１１４】
値が条件式（１９）の下限値を下回る場合、有効径の確保が困難になるか、又は、収差の変動量が増大する。
【０１１５】
第４レンズ群の最も像側の面の曲率が正になる場合、この面を有するレンズでは、周縁部が面頂よりも像面に近づく。そのため、この面を有するレンズの有効径の確保が困難になる。その結果、所要のバックフォーカスの確保が困難になる。
【０１１６】
第４レンズ群の最も物体側の面の曲率が負になる場合、変倍時の球面収差の変動量やコマ収差の変動量が増大する。
【０１１７】
値が条件式（１９）の上限値を上回る場合、変倍時の非点収差の変動量が増大してしまう。
【０１１８】
本実施形態のズームレンズでは、第３レンズ群の最も像側のレンズは正屈折力を有し、第４レンズ群は２枚以上のレンズからなることが好ましい。
【０１１９】
第３レンズ群の最も像側のレンズの屈折力を正屈折力にすることで、変倍時の球面収差の変動を抑制できる。
【０１２０】
第３レンズ群内の負レンズの枚数を変えずに、最も像側のレンズを負レンズにすると、最も像側のレンズに入射する軸上光線の高さが低くなる。そのため、第３レンズ群で生じる球面収差を抑制できなくなる。その結果、変倍時の球面収差の変動が悪化する。
【０１２１】
球面収差の補正のために負レンズを追加すると、第３レンズ群の厚みが厚くなる。そのため、ズームレンズの全長が長くなると共に、外径が大きくなる。また、第３レンズ群用の移動機構が大型化する。
【０１２２】
第４レンズ群では、軸外光線が光軸から離れた位置を通過する。そのため、第４レンズ群では、軸外収差の抑制、特に広角端における非点収差を抑制できる。第４レンズ群が２枚以上のレンズを備えることで、広角端における非点収差を抑制できる。
【０１２３】
本実施形態のズームレンズは、以下の条件式（２０）を満足することが好ましい。
１．１＜Ｄ12W／Ｄ12T＜１００      （２０）
ここで、
Ｄ12Wは、無限遠物体合焦時の広角端における第１レンズ群と第２レンズ群の間隔、
Ｄ12Tは、無限遠物体合焦時の望遠端における第１レンズ群と第２レンズ群の間隔、
である。
【０１２４】
値が条件式（２０）の上限値を上回る場合、広角端での第１レンズ群と第２レンズ群との間隔が広くなる。そのため、広角端でのズームレンズの全長が長くなってしまう。
【０１２５】
値が条件式（２０）の下限値を下回る場合、高い変倍比を確保するためには、第３レンズ群の屈折力を大きくしなければならない。しかしながら、第３レンズ群の屈折力を大きくすると、変倍時の球面収差の変動やコマ収差の変動量が増大してしまう。
【０１２６】
本実施形態のズームレンズでは、第１レンズ群は、物体側に凹面を向けた所定のレンズを有し、所定のレンズより像側に配置された正屈折力のレンズは１枚であることが好ましい。
【０１２７】
このようにすると、第１レンズ群の厚みの増大を抑制できる。所定のレンズより像側に２枚以上の正屈折力のレンズを配置すると、第１レンズ群の厚みが厚くなる。そのため、望遠端でのズームレンズの全長が長くなってしまう。
【０１２８】
正屈折力のレンズは、所定のレンズと接合されていても良い。正屈折力のレンズを所定のレンズと接合しない場合、波長間で生じるコマ収差の差が増大する。これを避けるために接合レンズを更に追加すると、第１レンズ群の厚みが更に厚くなってしまう。
【０１２９】
本実施形態のズームレンズは、以下の条件式（２１）を満足することが好ましい
１．１＜β2t＜１００      （２１）
ここで、
β2tは、無限遠物体合焦時の望遠端における第２レンズ群の横倍率、
である。
【０１３０】
値が条件式（２１）の下限値を下回る場合、第２レンズ群の屈折力が小さくなる。この場合、高い変倍比を確保するためには、第３レンズ群の屈折力を大きくする必要がある。しかしながら、第３レンズ群の屈折力を大きくすると、変倍時の球面収差の変動やコマ収差の変動量が増大してしまう。
【０１３１】
値が条件式（２１）の上限値を上回る場合、第２レンズ群の屈折力が大きくなり過ぎる。そのため、望遠端における球面収差やコマ収差が増大してしまう。
【０１３２】
本実施形態のズームレンズは、以下の条件式（２２）を満足することが好ましい。
０．１＜（β2w／β2t）／ｚ＜１．７      （２２）
ここで、
β2wは、無限遠物体合焦時の広角端における第２レンズ群の横倍率、
β2tは、無限遠物体合焦時の望遠端における第２レンズ群の横倍率、
ｚは、変倍比、
である。
【０１３３】
値が条件式（２２）の上限値を上回る場合、第２レンズ群における変倍作用が小さくなる。つまり、第２レンズ群の変倍時の倍率変化が、他のレンズ群の変倍作用をより大きく相殺するようになる。この場合、他のレンズ群における変倍作用を大きくする必要がある。しかしながら、他のレンズ群における変倍作用を大きくすると、変倍時の諸収差の変動量が増大してしまう。
【０１３４】
値が条件式（２２）の下限値を下回る場合、第２レンズ群の屈折力が小さくなる。この場合、高い変倍比を確保するためには、第３レンズ群の屈折力を大きくする必要がある。しかしながら、第３レンズ群の屈折力を大きくすると、変倍時の球面収差の変動やコマ収差の変動が増大してしまう。
【０１３５】
本実施形態のズームレンズでは、第１レンズ群が３枚以上の負レンズを有することが好ましい。
【０１３６】
第１レンズ群の負レンズ枚数が２枚以下だと、変倍時の諸収差の変動を抑えられなくなる。特に、変倍時の変動、例えば、歪曲収差の変動と非点収差の変動が悪化する。
【０１３７】
本実施形態のズームレンズは、以下の条件式（２３）を満足することが好ましい。
１＜Ｓｋｗ／ｆw＜３      （２３）
ここで、
Ｓｋｗは、広角端におけるズームレンズのバックフォーカス、
ｆwは、無限遠物体合焦時の広角端におけるズームレンズの焦点距離、
である。
【０１３８】
値が条件式（２３）の下限値を下回る場合、ズームレンズの最も像側のレンズが像面に近づく。この場合、広角端において、最も像側のレンズを通過する軸外光線の高さが増大する。そのため、広角端における非点収差や歪曲収差が悪化する。
【０１３９】
値が条件式（２３）の上限値を上回る場合、各レンズ群の屈折力を大きくしないと、バックフォーカスを十分に確保できない。しかしながら、各レンズ群の屈折力を大きくすると、諸収差が増大してしまう。特に、望遠端での球面収差やコマ収差が悪化する。
【０１４０】
本実施形態の撮像装置は、光学系と、撮像面を持ち、且つ光学系により撮像面上に形成された像を電気信号に変換する撮像素子と、を有し、光学系が上述の実施形態のズームレンズであることを特徴とする。
【０１４１】
本実施形態の撮像装置によれば、小型でありながら、広い撮影範囲で、高画質の画像を取得できる。
【０１４２】
上述の構成は、相互に複数を同時に満足することがより好ましい。また、一部の構成を同時に満足するようにしてもよい。例えば、上述のズームレンズや撮像装置の何れかにて、上述の他のズームレンズの何れかを用いるようにしてもよい。
【０１４３】
条件式については、それぞれの条件式を個別に満足させるようにしても良い。このようにすると、それぞれの効果を得やすくなるので好ましい。
【０１４４】
各条件式について、以下のように下限値、または上限値を変更しても良い、このようにすることで、各条件式の効果を一層確実にできるので好ましい。
条件式（１）については、以下の通りである。
下限値を２．５、又は、３にすることが好ましい。
上限値を３０、又は、７にすることが好ましい。
条件式（２）については、以下の通りである。
下限値を２．５、又は、３にすることが好ましい。
上限値を７０、又は、１０にすることが好ましい。
条件式（３）については、以下の通りである。
下限値を−１０、又は、−４にすることが好ましい。
上限値を１、又は、０．７にすることが好ましい。
条件式（４）については、以下の通りである。
下限値を１．１、又は、１．２にすることが好ましい。
上限値を２、又は、１．６にすることが好ましい。
条件式（５）については、以下の通りである。
下限値を０．７、又は、０．７５にすることが好ましい。
上限値を１．５、又は、１．１にすることが好ましい。
条件式（６）については、以下の通りである。
下限値を０．７、又は、０．８にすることが好ましい。
上限値を２、又は、１．８にすることが好ましい。
条件式（７）については、以下の通りである。
下限値を０．４、又は、０．７にすることが好ましい。
上限値を１．４、又は、１．１にすることが好ましい。
条件式（８）については、以下の通りである。
下限値を−１．４、又は、−０．８にすることが好ましい。
上限値を−０．１、又は、−０．２にすることが好ましい。
条件式（９）については、以下の通りである。
下限値を−１０、又は、−３にすることが好ましい。
上限値を０、又は、−１にすることが好ましい。
条件式（１０）については、以下の通りである。
下限値を−０．７５、又は、−０．７にすることが好ましい。
上限値を−０．５５、又は、−０．６３にすることが好ましい。
条件式（１１）については、以下の通りである。
下限値を−２．８、又は、−２．６にすることが好ましい。
上限値を−１．６、又は、−１．７にすることが好ましい。
条件式（１２）については、以下の通りである。
下限値を−０．３、又は、−０．２にすることが好ましい。
上限値を−０．０５、又は、−０．１にすることが好ましい。
条件式（１３）については、以下の通りである。
下限値を３．５＜、又は、４にすることが好ましい。
上限値を１０、又は、８．５にすることが好ましい。
条件式（１４）については、以下の通りである。
下限値を０．１５、又は、０．２５にすることが好ましい。
上限値を０．４、又は、０．３５にすることが好ましい。
条件式（１５）については、以下の通りである。
下限値を０．１５、又は、０．２５にすることが好ましい。
上限値を０．４、又は、０．３５にすることが好ましい。
条件式（１６）については、以下の通りである。
下限値を−１．５、又は、−１．３にすることが好ましい。
上限値を−０．０５、又は、−０．１にすることが好ましい。
条件式（１７）については、以下の通りである。
下限値を０．０５、又は、０．１にすることが好ましい。
上限値を０．９、又は、０．７にすることが好ましい。
条件式（１８）については、以下の通りである。
下限値を−０．８、又は、−０．６にすることが好ましい。
上限値を０、又は、−０．０５にすることが好ましい。
条件式（１９）については、以下の通りである。
下限値を−５０、又は、−１０にすることが好ましい。
上限値を１０、又は、５にすることが好ましい。
条件式（２０）については、以下の通りである。
下限値を７、又は、１１にすることが好ましい。
上限値を１５、又は、１３にすることが好ましい。
条件式（２１）については、以下の通りである。
下限値を１．３、又は、１．５にすることが好ましい。
上限値を１０、又は、１．８にすることが好ましい。
条件式（２２）については、以下の通りである。
下限値を０．３、又は、０．４にすることが好ましい。
上限値を１．３、又は、１にすることが好ましい。
条件式（２３）については、以下の通りである。
下限値を１．４、又は、１．８にすることが好ましい。
上限値を２．５、又は、２．１にすることが好ましい。
【０１４５】
以下に、ズームレンズの実施例を、図面に基づいて詳細に説明する。なお、この実施例によりこの発明が限定されるものではない。
【０１４６】
各実施例のレンズ断面図は、広角端におけるレンズ断面図を示している。
【０１４７】
各実施例の収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【０１４８】
（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【０１４９】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【０１５０】
レンズ断面図は、無限遠物点合焦時のレンズ断面図である。収差図は、無限遠物点合焦時の収差図である。
【０１５１】
第１レンズ群はＧ１、第２レンズ群はＧ２、第３レンズ群はＧ３、第４レンズ群はＧ４、開口絞りはＳ、像面（撮像面）はＩで示してある。
【０１５２】
実施例１のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０１５３】
第１レンズ群Ｇ１は、物体側に凸面を向けた負メニスカスレンズＬ１と、物体側に凸面を向けた負メニスカスレンズＬ２と、両凹負レンズＬ３と、物体側に凸面を向けた正メニスカスレンズＬ４と、で構成されている。ここで、両凹負レンズＬ３と正メニスカスレンズＬ４とが接合されている。
【０１５４】
第２レンズ群Ｇ２は、物体側に凸面を向けた正メニスカスレンズＬ５で構成されている。
【０１５５】
第３レンズ群Ｇ３は、両凸正レンズＬ６と、両凸正レンズＬ７と、両凹負レンズＬ８と、両凸正レンズＬ９と、両凹負レンズＬ１０と、両凸正レンズＬ１１と、で構成されている。ここで、両凸正レンズＬ７と両凹負レンズＬ８とが接合されている。両凸正レンズＬ９、両凹負レンズＬ１０、及び両凸正レンズＬ１１が接合されている。
【０１５６】
第４レンズ群Ｇ４は、両凸正レンズＬ１２と、像側に凸面を向けた負メニスカスレンズＬ１３と、で構成されている。
【０１５７】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０１５８】
無限遠物体から近距離物体へのフォーカシング時、第２レンズ群Ｇ２が像側に移動する。
【０１５９】
非球面は、負メニスカスレンズＬ２の両面と、正メニスカスレンズＬ５の両面と、両凸正レンズＬ９の物体側面と、両凸正レンズＬ１２の両面と、の合計７面に設けられている。
【０１６０】
実施例２のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０１６１】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、で構成されている。ここで、両凹負レンズＬ３と両凸正レンズＬ４とが接合されている。
【０１６２】
第２レンズ群Ｇ２は、物体側に凸面を向けた正メニスカスレンズＬ５で構成されている。
【０１６３】
第３レンズ群Ｇ３は、両凸正レンズＬ６と、物体側に凸面を向けた正メニスカスレンズＬ７と、物体側に凸面を向けた負メニスカスレンズＬ８と、両凸正レンズＬ９と、両凹負レンズＬ１０と、両凸正レンズＬ１１と、で構成されている。ここで、正メニスカスレンズＬ７と負メニスカスレンズＬ８とが接合されている。両凸正レンズＬ９、両凹負レンズＬ１０、及び両凸正レンズＬ１１が接合されている。
【０１６４】
第４レンズ群Ｇ４は、両凸正レンズＬ１２と、像側に凸面を向けた負メニスカスレンズＬ１３と、で構成されている。
【０１６５】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０１６６】
無限遠物体から近距離物体へのフォーカシング時、第２レンズ群Ｇ２が像側に移動する。
【０１６７】
非球面は、負メニスカスレンズＬ２の両面と、正メニスカスレンズＬ５の両面と、両凸正レンズＬ６の両面と、両凸正レンズＬ１２の両面と、の合計８面に設けられている。
【０１６８】
実施例３のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０１６９】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、両凸正レンズＬ５と、で構成されている。ここで、両凹負レンズＬ４と両凸正レンズＬ５とが接合されている。
【０１７０】
第２レンズ群Ｇ２は、物体側に凸面を向けた正メニスカスレンズＬ６で構成されている。
【０１７１】
第３レンズ群Ｇ３は、両凸正レンズＬ７と、物体側に凸面を向けた正メニスカスレンズＬ８と、物体側に凸面を向けた負メニスカスレンズＬ９と、両凸正レンズＬ１０と、両凹負レンズＬ１１と、両凸正レンズＬ１２と、で構成されている。ここで、正メニスカスレンズＬ８と負メニスカスレンズＬ９とが接合されている。両凸正レンズＬ１０、両凹負レンズＬ１１、及び両凸正レンズＬ１２が接合されている。
【０１７２】
第４レンズ群Ｇ４は、両凸正レンズＬ１３と、像側に凸面を向けた負メニスカスレンズＬ１４と、で構成されている。
【０１７３】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０１７４】
無限遠物体から近距離物体へのフォーカシング時、第２レンズ群Ｇ２が像側に移動する。
【０１７５】
非球面は、負メニスカスレンズＬ２の両面と、正メニスカスレンズＬ６の両面と、両凸正レンズＬ７の両面と、両凸正レンズＬ１３の両面と、の合計８面に設けられている。
【０１７６】
実施例４のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０１７７】
第１レンズ群Ｇ１は、物体側に凸面を向けた負メニスカスレンズＬ１と、物体側に凸面を向けた負メニスカスレンズＬ２と、両凹負レンズＬ３と、物体側に凸面を向けた正メニスカスレンズＬ４と、で構成されている。ここで、両凹負レンズＬ３と正メニスカスレンズＬ４とが接合されている。
【０１７８】
第２レンズ群Ｇ２は、両凸正レンズＬ５と、像側に凸面を向けた負メニスカスレンズＬ６と、像側に凸面を向けた負メニスカスレンズＬ７と、で構成されている。ここで、両凸正レンズＬ５、負メニスカスレンズＬ６、及び負メニスカスレンズＬ７が接合されている。
【０１７９】
第３レンズ群Ｇ３は、物体側に凸面を向けた正メニスカスレンズＬ８と、両凸正レンズＬ９と、両凹負レンズＬ１０と、物体側に凸面を向けた正メニスカスレンズＬ１１と、両凸正レンズＬ１２と、で構成されている。ここで、両凹負レンズＬ１０と正メニスカスレンズＬ１１とが接合されている。
【０１８０】
第４レンズ群Ｇ４は、両凸正レンズＬ１３と、両凹負レンズＬ１４と、で構成されている。
【０１８１】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０１８２】
無限遠物体から近距離物体へのフォーカシング時、第２レンズ群Ｇ２が像側に移動する。
【０１８３】
非球面は、負メニスカスレンズＬ２の両面と、正メニスカスレンズＬ８の両面と、両凸正レンズＬ１３の両面と、の合計６面に設けられている。
【０１８４】
実施例５のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０１８５】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、両凹負レンズＬ５と、で構成されている。ここで、両凹負レンズＬ３と両凸正レンズＬ４とが接合されている。
【０１８６】
第２レンズ群Ｇ２は、両凸正レンズＬ６で構成されている。
【０１８７】
第３レンズ群Ｇ３は、両凸正レンズＬ７と、物体側に凸面を向けた正メニスカスレンズＬ８と、物体側に凸面を向けた負メニスカスレンズＬ９と、両凸正レンズＬ１０と、両凹負レンズＬ１１と、両凸正レンズＬ１２と、で構成されている。ここで、正メニスカスレンズＬ８と負メニスカスレンズＬ９とが接合されている。両凸正レンズＬ１０、両凹負レンズＬ１１、及び両凸正レンズＬ１２が接合されている。
【０１８８】
第４レンズ群Ｇ４は、両凸正レンズＬ１３と、像側に凸面を向けた負メニスカスレンズＬ１４と、で構成されている。
【０１８９】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０１９０】
無限遠物体から近距離物体へのフォーカシング時、第２レンズ群Ｇ２が像側に移動する。
【０１９１】
非球面は、負メニスカスレンズＬ２の両面と、両凸正レンズＬ６の両面と、両凸正レンズＬ７の両面と、両凸正レンズＬ１３の両面と、の合計８面に設けられている。
【０１９２】
実施例６のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０１９３】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、両凹負レンズＬ５と、で構成されている。ここで、両凹負レンズＬ３と両凸正レンズＬ４とが接合されている。
【０１９４】
第２レンズ群Ｇ２は、物体側に凸面を向けた正メニスカスレンズＬ６で構成されている。
【０１９５】
第３レンズ群Ｇ３は、両凸正レンズＬ７と、両凸正レンズＬ８と、両凹負レンズＬ９と、両凸正レンズＬ１０と、両凹負レンズＬ１１と、両凸正レンズＬ１２と、で構成されている。ここで、両凸正レンズＬ８と両凹負レンズＬ９とが接合されている。両凸正レンズＬ１０、両凹負レンズＬ１１、及び両凸正レンズＬ１２が接合されている。
【０１９６】
第４レンズ群Ｇ４は、両凸正レンズＬ１３と、両凹負レンズＬ１４と、で構成されている。
【０１９７】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０１９８】
無限遠物体から近距離物体へのフォーカシング時、第２レンズ群Ｇ２が像側に移動する。
【０１９９】
非球面は、負メニスカスレンズＬ２の両面と、正メニスカスレンズＬ６の両面と、両凸正レンズＬ７の両面と、両凸正レンズＬ１３の両面と、の合計８面に設けられている。
【０２００】
実施例７のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０２０１】
第１レンズ群Ｇ１は、物体側に凸面を向けた負メニスカスレンズＬ１と、物体側に凸面を向けた負メニスカスレンズＬ２と、物体側に凸面を向けた負メニスカスレンズＬ３と、両凹負レンズＬ４と、両凸正レンズＬ５と、で構成されている。ここで、負メニスカスレンズＬ１と負メニスカスレンズＬ２とが接合されている。両凹負レンズＬ４と両凸正レンズＬ５とが接合されている。
【０２０２】
第２レンズ群Ｇ２は、物体側に凸面を向けた正メニスカスレンズＬ６で構成されている。
【０２０３】
第３レンズ群Ｇ３は、両凸正レンズＬ７と、両凸正レンズＬ８と、両凹負レンズＬ９と、両凸正レンズＬ１０と、両凹負レンズＬ１１と、両凸正レンズＬ１２と、で構成されている。ここで、両凸正レンズＬ８と両凹負レンズＬ９とが接合されている。両凸正レンズＬ１０、両凹負レンズＬ１１、及び両凸正レンズＬ１２が接合されている。
【０２０４】
第４レンズ群Ｇ４は、両凸正レンズＬ１３と、両凹負レンズＬ１４と、で構成されている。
【０２０５】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０２０６】
無限遠物体から近距離物体へのフォーカシング時、第２レンズ群Ｇ２が像側に移動する。
【０２０７】
非球面は、負メニスカスレンズＬ３の両面と、正メニスカスレンズＬ６の両面と、両凸正レンズＬ７の両面と、両凸正レンズＬ１３の両面と、の合計８面に設けられている。
【０２０８】
実施例８のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０２０９】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、で構成されている。ここで、両凹負レンズＬ３と両凸正レンズＬ４とが接合されている。
【０２１０】
第２レンズ群Ｇ２は、両凸正レンズＬ５と、像側に凸面を向けた負メニスカスレンズＬ６と、像側に凸面を向けた正メニスカスレンズＬ７と、で構成されている。ここで、両凸正レンズＬ５、負メニスカスレンズＬ６、及び正メニスカスレンズＬ７が接合されている。
【０２１１】
第３レンズ群Ｇ３は、両凸正レンズＬ８と、両凸正レンズＬ９と、物体側に凸面を向けた負メニスカスレンズＬ１０と、物体側に凸面を向けた正メニスカスレンズＬ１１と、両凸正レンズＬ１２と、で構成されている。ここで、負メニスカスレンズＬ１０と正メニスカスレンズＬ１１とが接合されている。
【０２１２】
第４レンズ群Ｇ４は、両凸正レンズＬ１３と、両凹負レンズＬ１４と、で構成されている。
【０２１３】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０２１４】
無限遠物体から近距離物体へのフォーカシング時、第２レンズ群Ｇ２が像側に移動する。
【０２１５】
非球面は、負メニスカスレンズＬ２の両面と、両凸正レンズＬ８の両面と、両凸正レンズＬ１３の両面と、の合計６面に設けられている。
【０２１６】
実施例９のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０２１７】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、で構成されている。ここで、両凹負レンズＬ３と両凸正レンズＬ４とが接合されている。
【０２１８】
第２レンズ群Ｇ２は、物体側に凸面を向けた正メニスカスレンズＬ５で構成されている。
【０２１９】
第３レンズ群Ｇ３は、両凸正レンズＬ６と、両凸正レンズＬ７と、両凹負レンズＬ８と、両凸正レンズＬ９と、物体側に凸面を向けた負メニスカスレンズＬ１０と、で構成されている。ここで、両凸正レンズＬ７、両凹負レンズＬ８、及び両凸正レンズＬ９が接合されている。
【０２２０】
第４レンズ群Ｇ４は、両凸正レンズＬ１１と、像側に凸面を向けた負メニスカスレンズＬ１２と、で構成されている。
【０２２１】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０２２２】
無限遠物体から近距離物体へのフォーカシング時、第２レンズ群Ｇ２が像側に移動する。
【０２２３】
非球面は、負メニスカスレンズＬ２の両面と、正メニスカスレンズＬ５の両面と、両凸正レンズＬ６の両面と、両凸正レンズＬ１１の両面と、の合計８面に設けられている。
【０２２４】
実施例１０のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０２２５】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、で構成されている。ここで、両凹負レンズＬ３と両凸正レンズＬ４とが接合されている。
【０２２６】
第２レンズ群Ｇ２は、物体側に凸面を向けた正メニスカスレンズＬ５で構成されている。
【０２２７】
第３レンズ群Ｇ３は、両凸正レンズＬ６と、物体側に凸面を向けた正メニスカスレンズＬ７と、物体側に凸面を向けた負メニスカスレンズＬ８と、両凸正レンズＬ９と、両凹負レンズＬ１０と、両凸正レンズＬ１１と、で構成されている。ここで、正メニスカスレンズＬ７と負メニスカスレンズＬ８とが接合されている。両凸正レンズＬ９、両凹負レンズＬ１０、及び両凸正レンズＬ１１が接合されている。
【０２２８】
第４レンズ群Ｇ４は、両凸正レンズＬ１２と、像側に凸面を向けた負メニスカスレンズＬ１３と、で構成されている。
【０２２９】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０２３０】
無限遠物体から近距離物体へのフォーカシング時、第２レンズ群Ｇ２が像側に移動する。
【０２３１】
非球面は、負メニスカスレンズＬ２の両面と、正メニスカスレンズＬ５の両面と、両凸正レンズＬ６の両面と、両凸正レンズＬ１２の両面と、の合計８面に設けられている。
【０２３２】
実施例１１のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０２３３】
第１レンズ群Ｇ１は、物体側に凸面を向けた負メニスカスレンズＬ１と、物体側に凸面を向けた負メニスカスレンズＬ２と、両凹負レンズＬ３と、両凸正レンズＬ４と、で構成されている。ここで、両凹負レンズＬ３と両凸正レンズＬ４とが接合されている。
【０２３４】
第２レンズ群Ｇ２は、物体側に凸面を向けた正メニスカスレンズＬ５で構成されている。
【０２３５】
第３レンズ群Ｇ３は、両凸正レンズＬ６と、物体側に凸面を向けた正メニスカスレンズＬ７と、物体側に凸面を向けた負メニスカスレンズＬ８と、両凸正レンズＬ９と、両凹負レンズＬ１０と、両凸正レンズＬ１１と、で構成されている。ここで、正メニスカスレンズＬ７と負メニスカスレンズＬ８とが接合されている。両凸正レンズＬ９、両凹負レンズＬ１０、及び両凸正レンズＬ１１が接合されている。
【０２３６】
第４レンズ群Ｇ４は、両凸正レンズＬ１２と、像側に凸面を向けた負メニスカスレンズＬ１３と、で構成されている。
【０２３７】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０２３８】
無限遠物体から近距離物体へのフォーカシング時、第２レンズ群Ｇ２が像側に移動する。
【０２３９】
非球面は、負メニスカスレンズＬ２の両面と、正メニスカスレンズＬ５の両面と、両凸正レンズＬ６の両面と、両凸正レンズＬ１２の両面と、の合計８面に設けられている。
【０２４０】
実施例１２のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０２４１】
第１レンズ群Ｇ１は、物体側に凸面を向けた負メニスカスレンズＬ１と、物体側に凸面を向けた負メニスカスレンズＬ２と、像体側に凸面を向けた負メニスカスレンズＬ３と、物体側に凸面を向けた正メニスカスレンズＬ４と、で構成されている。ここで、負メニスカスレンズＬ３と正メニスカスレンズＬ４とが接合されている。
【０２４２】
第２レンズ群Ｇ２は、物体側に凸面を向けた正メニスカスレンズＬ５で構成されている。
【０２４３】
第３レンズ群Ｇ３は、両凸正レンズＬ６と、物体側に凸面を向けた正メニスカスレンズＬ７と、物体側に凸面を向けた負メニスカスレンズＬ８と、両凸正レンズＬ９と、両凹負レンズＬ１０と、両凸正レンズＬ１１と、で構成されている。ここで、正メニスカスレンズＬ７と負メニスカスレンズＬ８とが接合されている。両凸正レンズＬ９、両凹負レンズＬ１０、及び両凸正レンズＬ１１が接合されている。
【０２４４】
第４レンズ群Ｇ４は、両凸正レンズＬ１２と、像側に凸面を向けた負メニスカスレンズＬ１３と、で構成されている。
【０２４５】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０２４６】
無限遠物体から近距離物体へのフォーカシング時、第２レンズ群Ｇ２が像側に移動する。
【０２４７】
非球面は、負メニスカスレンズＬ２の両面と、正メニスカスレンズＬ５の両面と、両凸正レンズＬ６の両面と、両凸正レンズＬ１２の両面と、の合計８面に設けられている。
【０２４８】
実施例１３のズームレンズは、物体側から順に、負の屈折力を有する第１レンズ群Ｇ１と、正の屈折力を有する第２レンズ群Ｇ２と、正の屈折力を有する第３レンズ群Ｇ３と、正の屈折力を有する第４レンズ群Ｇ４と、で構成されている。開口絞りＳは、第２レンズ群Ｇ２と第３レンズ群Ｇ３との間に配置されている。
【０２４９】
第１レンズ群Ｇ１は、物体側に凸面を向けた負メニスカスレンズＬ１と、物体側に凸面を向けた負メニスカスレンズＬ２と、両凹負レンズＬ３と、物体側に凸面を向けた正メニスカスレンズＬ４と、で構成されている。ここで、両凹負レンズＬ３と正メニスカスレンズＬ４とが接合されている。
【０２５０】
第２レンズ群Ｇ２は、物体側に凸面を向けた正メニスカスレンズＬ５で構成されている。
【０２５１】
第３レンズ群Ｇ３は、両凸正レンズＬ６と、物体側に凸面を向けた正メニスカスレンズＬ７と、物体側に凸面を向けた負メニスカスレンズＬ８と、両凸正レンズＬ９と、両凹負レンズＬ１０と、両凸正レンズＬ１１と、両凹負レンズＬ１２と、で構成されている。ここで、正メニスカスレンズＬ７と負メニスカスレンズＬ８とが接合されている。両凸正レンズＬ９、両凹負レンズＬ１０、及び両凸正レンズＬ１１が接合されている。
【０２５２】
第４レンズ群Ｇ４は、両凸正レンズＬ１３と、像側に凸面を向けた負メニスカスレンズＬ１４と、で構成されている。
【０２５３】
広角端から望遠端への変倍時、第１レンズ群Ｇ１は、像側に移動した後、物体側に移動する。第２レンズ群Ｇ２と第３レンズ群Ｇ３は、共に物体側に移動する。第４レンズ群Ｇ４は、固定されている。
【０２５４】
無限遠物体から近距離物体へのフォーカシング時、第２レンズ群Ｇ２が像側に移動する。
【０２５５】
非球面は、負メニスカスレンズＬ２の両面と、正メニスカスレンズＬ５の両面と、両凸正レンズＬ６の両面と、の合計６面に設けられている。 
【０２５６】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。絞りは開口絞りである。
【０２５７】
ズームデータにおいて、ＷＥは広角端、ＳＴは中間焦点距離状態、ＴＥは望遠端を表している。また、ｆは全系の焦点距離、ＦＮＯ．はＦナンバー、ωは半画角、ＩＨは像高、ＢＦはバックフォーカス、ＬＴＬは光学系の全長である。バックフォーカスは、最も像側のレンズ面から近軸像面までの距離を空気換算して表したものである。全長は、最も物体側のレンズ面から最も像側のレンズ面までの距離にバックフォーカスを加えたものである。
【０２５８】
また、各群焦点距離において、ｆ１、ｆ２…は各レンズ群の焦点距離である。
【０２５９】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「Ｅ−ｎ」（ｎは整数）は、「１０−ｎ」を示している。なお、これら諸元値の記号は後述の実施例の数値データにおいても共通である。
【０２６０】
数値実施例１
単位  ｍｍ
面データ
面番号         r          d         nd       νd
物面        ∞         ∞
1     133.324      2.40     1.77250    49.60
2      21.500      2.00
3*     21.782      2.50     1.74320    49.34
4*     10.845     13.11
5    -168.644      1.80     1.43700    95.10
6      22.385      5.92     1.90043    37.37
7      58.041      可変
8*     32.390      3.70     1.49700    81.54
9*    190.525      可変
10(絞り)  ∞        1.30
11      16.640      4.28     1.55032    75.50
12    -178.311      0.94
13      21.892      3.66     1.43700    95.10
14     -38.206      1.00     1.75500    52.32
15      20.718      1.50
16*     39.654      3.75     1.49700    81.61
17     -14.487      0.90     1.81600    46.62
18      18.375      3.50     1.53172    48.84
19     -16.268      可変
20*     83.001      5.22     1.49710    81.56
21*    -24.439      1.00
22     -24.608      0.80     2.00100    29.13
23     -38.147     15.98
像面        ∞
非球面データ
第３面
k=0.000
A4=2.60952e-05,A6=-5.33431e-08,A8=-9.21870e-11
第４面
k=-0.721
A4=1.53147e-05,A6=8.82411e-08,A8=-1.45622e-09,
A10=1.91847e-12
第８面
k=0.000
A4=1.95550e-06,A6=2.23755e-07
第９面
k=0.000
A4=1.17203e-05,A6=2.46583e-07
第１６面
k=0.000
A4=-5.12474e-05,A6=-3.39368e-08,A8=-5.78608e-11
第２０面
k=0.000
A4=1.65430e-05,A6=-7.13193e-08
第２１面
k=0.000
A4=3.54655e-05,A6=-1.23803e-07
ズームデータ
ズーム比           3.00
ＷＥ      ＳＴ      ＴＥ
ｆ                 8.16     14.14     24.50
ＦＮＯ．           4.08      4.08      4.08
２ω             114.57     76.20     47.62
ＩＨ              11.15     11.15     11.15
ＢＦ(in air)      15.98     15.98     15.97
ＬＴＬ(in air)   129.00    115.04    119.57
d7          26.79      9.05      2.00
d9          25.95     15.60      5.80
d19          1.00     15.12     36.51
各群焦点距離
f1=-16.27   f2=77.91   f3=38.20   f4=81.45
【０２６１】
数値実施例２
単位  ｍｍ
面データ
面番号         r          d         nd       νd
物面        ∞         ∞
1      96.531      2.40     1.77250    49.60
2      16.780      1.91
3*     16.914      2.50     1.74320    49.34
4*     10.682     13.53
5     -27.892      1.80     1.43700    95.10
6      44.851      5.42     1.90043    37.37
7    -173.134      可変
8*     39.925      2.93     1.55332    71.68
9*    186.546      可変
10(絞り)  ∞        1.30
11*     18.195      6.59     1.49700    81.54
12*    -59.178      2.63
13      18.193      2.17     1.43700    95.10
14     163.829      1.00     1.81600    46.62
15      17.343      1.34
16      56.940      5.25     1.49700    81.61
17     -11.704      0.90     1.81600    46.62
18      25.447      2.92     1.54072    47.23
19     -15.475      可変
20*     56.451      4.80     1.49710    81.56
21*    -34.288      1.00
22     -39.292      1.50     2.00100    29.13
23     -73.259     15.57
像面        ∞
非球面データ
第３面
k=0.000
A4=1.25658e-05,A6=-2.18345e-07,A8=4.95599e-10,
A10=-7.55349e-13
第４面
k=-0.807
A4=-1.11768e-06,A6=-2.32798e-07,A8=1.96365e-14,
A10=1.86656e-12
第８面
k=0.000
A4=-7.63903e-06,A6=8.93104e-08,A8=2.07003e-12
第９面
k=0.000
A4=-1.45480e-07,A6=9.23580e-08,A8=-5.38169e-14
第１１面
k=0.000
A4=-3.53872e-06,A6=2.85781e-08,A8=-9.97145e-11
第１２面
k=0.000
A4=2.30938e-05,A6=-8.86219e-09,A8=-1.56344e-10
第２０面
k=0.000
A4=2.45361e-05,A6=9.02847e-09,A8=7.61620e-12
第２１面
k=0.000
A4=5.41154e-05,A6=-4.72043e-08,A8=-1.01267e-11
ズームデータ
ズーム比           3.02
ＷＥ      ＳＴ      ＴＥ
ｆ                 8.16     14.18     24.64
ＦＮＯ．           4.08      4.08      4.08
２ω             115.08     76.30     46.73
ＩＨ              11.15     11.15     11.15
ＢＦ(in air)      15.57     15.57     15.57
ＬＴＬ(in air)   127.26    113.92    120.70
d7          25.19      7.89      0.30
d9          23.60     13.60      5.62
d19          1.00     14.97     37.32
各群焦点距離
f1=-16.35   f2=91.15   f3=37.56   f4=85.47
【０２６２】
数値実施例３
単位  ｍｍ
面データ
面番号         r          d         nd       νd
物面        ∞         ∞
1      72.184      2.00     1.81600    46.62
2      24.522      2.21
3*     26.943      2.06     1.69680    55.46
4*     14.294     10.84
5      98.157      2.06     1.43700    95.10
6      26.568      8.58
7     -28.232      0.96     1.43700    95.10
8     524.943      3.97     2.00330    28.27
9     -72.271      可変
10*     19.531      2.13     1.55332    71.68
11*     26.837      可変
12(絞り)  ∞        1.30
13*     15.329      6.61     1.49700    81.54
14*    -97.721      3.98
15      18.982      1.91     1.43700    95.10
16     256.693      1.00     1.81600    46.62
17      17.092      0.96
18      39.264      4.05     1.49700    81.61
19      -9.544      0.90     1.81600    46.62
20      22.887      3.00     1.54072    47.23
21     -14.758      可変
22*     34.698      4.80     1.49710    81.56
23*   -224.249      1.87
24     -28.924      1.50     2.00100    29.13
25     -36.179     15.60
像面        ∞
非球面データ
第３面
k=0.000
A4=-4.28180e-06,A6=-1.90319e-09
第４面
k=-0.913
A4=-8.67631e-06,A6=-9.78077e-09
第１０面
k=0.000
A4=-1.50190e-05,A6=-2.02268e-08
第１１面
k=0.000
A4=-4.83256e-06,A6=1.48086e-08
第１３面
A4=-9.32952e-06,A6=2.52688e-08,A8=-1.96681e-10
第１４面
k=0.000
A4=1.94094e-05,A6=-1.35639e-08,A8=-5.15177e-10
第２２面
k=0.000
A4=9.53741e-07,A6=-8.54316e-09
第２３面
k=0.000
A4=-2.35450e-06,A6=-5.04363e-08
ズームデータ
ズーム比           3.00
ＷＥ      ＳＴ      ＴＥ
ｆ                 8.16     14.14     24.51
ＦＮＯ．           4.08      4.08      4.08
２ω             115.62     79.28     49.91
ＩＨ              11.15     11.15     11.15
ＢＦ(in air)      15.60     15.60     15.60
ＬＴＬ(in air)   134.41    121.83    129.15
d9          25.82      9.46      2.74
d11         25.29     14.84      5.89
d21          1.00     15.23     38.22
各群焦点距離
f1=-16.25   f2=117.44   f3=36.92   f4=96.57
【０２６３】
数値実施例４
単位  ｍｍ
面データ
面番号         r          d         nd       νd
物面        ∞         ∞
1     141.440      2.40     1.62041    60.29
2      19.413      4.75
3*     23.802      2.50     1.74320    49.34
4*     11.339     10.59
5     -42.096      1.80     1.43700    95.10
6      32.639      3.50     1.90043    37.37
7     553.332      可変
8      40.290      5.20     1.51742    52.43
9     -24.934      0.79     1.88300    40.76
10     -53.561      2.48     1.67270    32.10
11     -66.276      可変
12(絞り)  ∞        1.30
13*     15.943      6.42     1.49700    81.54
14*     74.951      1.34
15      63.454      4.46     1.43875    94.66
16     -35.059      2.10
17    -133.251      0.90     1.80610    40.92
18      12.685      3.51     1.49700    81.61
19      39.061      0.37
20      74.973      1.89     1.54072    47.23
21     -34.464      可変
22*    127.093      4.80     1.49710    81.56
23*    -24.428      1.00
24    -221.454      1.50     2.00100    29.13
25     132.974     15.18
像面        ∞
非球面データ
第３面
k=0.000
A4=-2.13045e-05,A6=1.44917e-09,A8=-4.08669e-11
第４面
k=-0.807
A4=-3.51603e-05,A6=-8.26694e-08,A8=-1.63473e-12
第１３面
k=0.000
A4=1.56311e-06,A6=5.54635e-08,A8=-2.04426e-13
第１４面
k=0.000
A4=5.55568e-05,A6=1.28892e-07,A8=3.47776e-10
第２２面
k=0.000
A4=-2.50000e-05,A6=4.77304e-09
第２３面
k=0.000
A4=1.12361e-05,A6=-1.38080e-08
ズームデータ
ズーム比           3.07
ＷＥ      ＳＴ      ＴＥ
ｆ                 8.16     14.31     25.10
ＦＮＯ．           4.08      4.08      4.08
２ω             115.51     76.88     46.43
ＩＨ              11.15     11.15     11.15
ＢＦ(in air)      15.18     15.18     15.18
ＬＴＬ(in air)   129.65    112.79    119.52
d7          25.70      8.88      1.00
d11         24.17     10.63      3.16
d21          1.00     14.50     36.59
各群焦点距離
f1=-16.64   f2=81.63   f3=37.71   f4=79.94
【０２６４】
数値実施例５
単位  ｍｍ
面データ
面番号         r          d         nd       νd
物面        ∞         ∞
1      98.251      2.40     1.77250    49.60
2      19.683      1.82
3*     19.397      2.03     1.74320    49.34
4*     11.656     12.98
5     -50.990      1.80     1.43700    95.10
6      44.992      4.80     1.90043    37.37
7     -66.245      1.50
8     -33.708      1.00     1.59522    67.74
9     155.837      可変
10*     34.594      2.50     1.55332    71.68
11*  -2616.250      可変
12(絞り)  ∞        1.30
13*     16.181      5.73     1.49700    81.54
14*    -54.737      2.07
15      26.845      1.45     1.43700    95.10
16     122.794      1.00     1.81600    46.62
17      15.549      0.79
18      37.655      3.94     1.49700    81.61
19     -11.558      0.90     1.81600    46.62
20      40.500      4.41     1.54072    47.23
21     -15.125      可変
22*     63.681      4.80     1.49710    81.56
23*    -32.121      1.00
24     -26.300      1.50     2.00100    29.13
25     -41.916     15.95
像面        ∞
非球面データ
第３面
k=0.000
A4=1.15752e-05,A6=-5.74948e-08,A8=6.26669e-11,
A10=-3.53264e-13
第４面
k=-0.763
A4=-9.34634e-06,A6=3.69675e-08,A8=-7.49656e-10,
A10=1.01367e-12
第１０面
k=0.000
A4=-7.98686e-06,A6=9.90871e-08
第１１面
k=0.000
A4=-1.45480e-07,A6=9.23580e-08
第１３面
k=0.000
A4=-1.69409e-05,A6=-1.73022e-08,A8=-2.80686e-10
第１４面
k=0.000
A4=2.09498e-05,A6=-5.10466e-08,A8=6.19485e-12
第２２面
k=0.000
A4=3.73317e-05,A6=-8.88133e-08
第２３面
k=0.000
A4=6.43976e-05,A6=-1.82148e-07
ズームデータ
ズーム比           3.01
ＷＥ      ＳＴ      ＴＥ
ｆ                 8.15     14.14     24.51
ＦＮＯ．           4.08      4.08      4.08
２ω             114.14     75.27     46.86
ＩＨ              11.15     11.15     11.15
ＢＦ(in air)      15.95     15.95     15.95
ＬＴＬ(in air)   125.81    114.67    120.05
d9          25.83      8.69      2.00
d11         23.30     14.36      4.72
d21          1.00     15.95     37.65
各群焦点距離
f1=-14.36   f2=61.73   f3=38.43   f4=103.80
【０２６５】
数値実施例６
単位  ｍｍ
面データ
面番号         r          d         nd       νd
物面        ∞         ∞
1     212.452      2.40     1.77250    49.60
2      22.170      0.20
3*     19.826      2.00     1.74320    49.34
4*     11.685     13.30
5     -54.599      1.80     1.43700    95.10
6      50.861      4.80     1.90043    37.37
7     -56.165      1.50
8     -33.708      1.00     1.59522    67.74
9     148.314      可変
10*     33.363      2.50     1.55332    71.68
11*    429.831      可変
12(絞り)  ∞        1.30
13*     16.836     12.15     1.49700    81.54
14*    -85.176      0.30
15      52.642      1.70     1.43700    95.10
16     -36.823      1.00     1.81600    46.62
17      18.687      0.90
18      21.198      2.50     1.49700    81.61
19     -19.375      0.90     1.81600    46.62
20      51.220      3.53     1.54072    47.23
21     -16.466      可変
22*     51.776      4.00     1.49710    81.56
23*    -38.376      0.94
24     -75.943      1.50     2.00100    29.13
25   44368.709     16.51
像面        ∞
非球面データ
第３面
k=0.000
A4=2.00138e-05,A6=-1.07333e-07,A8=1.35454e-10,
A10=-3.01279e-13
第４面
k=-0.787
A4=1.61586e-06,A6=-7.85133e-08,A8=-3.61497e-10,
A10=7.87373e-13
第１０面
k=0.000
A4=-7.50671e-06,A6=9.04725e-08
第１１面
k=0.000
A4=-1.45480e-07,A6=9.23580e-08
第１３面
k=0.000
A4=-2.91531e-06,A6=2.76021e-08,A8=-1.27320e-12
第１４面
k=0.000
A4=6.00000e-05,A6=1.02479e-07,A8=5.41004e-11
第２２面
k=0.000
A4=1.52290e-06,A6=1.82822e-07
第２３面
k=0.000
A4=3.00000e-05,A6=1.81443e-07
ズームデータ
ズーム比           3.00
ＷＥ      ＳＴ      ＴＥ
ｆ                 8.17     14.15     24.51
ＦＮＯ．           4.08      4.08      4.08
２ω             114.41     75.00     46.58
ＩＨ              11.15     11.15     11.15
ＢＦ(in air)      16.51     16.51     16.51
ＬＴＬ(in air)   127.84    115.31    120.60
d9          26.87      8.80      1.65
d11         23.23     13.75      4.19
d21          1.00     16.03     38.02
各群焦点距離
f1=-15.16   f2=65.22   f3=38.89   f4=103.81
【０２６６】
数値実施例７
単位  ｍｍ
面データ
面番号         r          d         nd       νd
物面        ∞         ∞
1      60.399      2.40     1.77250    49.60
2      19.618      0.15     1.62992    35.00
3      15.962      2.92
4*     16.911      2.50     1.74320    49.34
5*      9.274     11.80
6     -22.655      1.80     1.43700    95.10
7      36.531      4.65     1.90043    37.37
8    -100.510      可変
9*     23.184      2.00     1.55332    71.68
10*     40.928      可変
11(絞り)  ∞        1.30
12*     16.910      5.94     1.49700    81.54
13*    -45.954      1.95
14      23.231      2.00     1.43700    95.10
15    -133.275      1.00     1.81600    46.62
16      22.755      0.50
17      31.764      4.00     1.49700    81.61
18     -11.945      0.90     1.81600    46.62
19      14.153      3.00     1.54072    47.23
20     -18.427      可変
21*     49.700      4.80     1.49710    81.56
22*    -43.151      1.00
23    -114.851      1.50     2.00100    29.13
24    1165.189     16.05
像面        ∞
非球面データ
第４面
k=0.000
A4=-3.43865e-05,A6=-3.68079e-08,A8=2.55895e-10,
A10=-8.16170e-13
第５面
k=-0.797
A4=-4.95879e-05,A6=-4.41855e-08,A8=-5.29346e-12,
A10=1.13819e-12
第９面
k=0.000
A4=3.69569e-06,A6=9.04789e-08
第１０面
k=0.000
A4=2.51498e-05,A6=9.23580e-08
第１２面
k=0.000
A4=5.82681e-06,A6=3.41682e-08,A8=-7.95438e-12
第１３面
k=0.000
A4=2.15542e-05,A6=-1.29386e-08,A8=-2.24696e-10
第２１面
k=0.000
A4=4.58794e-06,A6=-1.40579e-08
第２２面
k=0.000
A4=2.55308e-05,A6=-5.81351e-08
ズームデータ
ズーム比           3.03
ＷＥ      ＳＴ      ＴＥ
ｆ                 8.15     14.18     24.68
ＦＮＯ．           4.08      4.08      4.08
２ω             115.42     78.22     47.81
ＩＨ              11.15     11.15     11.15
ＢＦ(in air)      16.05     16.05     16.05
ＬＴＬ(in air)   114.11    105.90    118.35
d8          27.94     11.36      2.00
d10         13.50      8.11      6.07
d20          0.50     14.28     38.11
各群焦点距離
f1=-16.29   f2=92.91   f3=37.04   f4=82.67
【０２６７】
数値実施例８
単位  ｍｍ
面データ
面番号         r          d         nd       νd
物面        ∞         ∞
1     154.920      2.40     1.62041    60.29
2      20.605      5.00
3*     27.657      2.50     1.74320    49.34
4*     12.005     11.13
5     -31.084      1.80     1.43700    95.10
6      50.401      2.93     1.90043    37.37
7    -171.106      可変  
8      32.943      4.80     1.51742    52.43
9     -25.225      0.79     1.88300    40.76
10     -89.573      3.30     1.67270    32.10
11     -72.117      可変
12(絞り)  ∞        1.30
13*     16.258      6.27     1.49700    81.54
14*   -355.891      2.21
15    1406.028      1.88     1.43875    94.66
16     -46.077      2.74
17     362.878      0.90     1.80610    40.92
18      11.398      3.09     1.49700    81.61
19      44.995      0.74
20     335.744      2.31     1.54072    47.23
21     -35.214      可変
22*    127.093      4.80     1.49710    81.56
23*    -21.252      1.00
24    -107.974      1.50     2.00100    29.13
25     203.620     14.56
像面        ∞
非球面データ
第３面
k=0.000
A4=-1.15842e-05,A6=-6.01870e-09,A8=2.26869e-15
第４面
k=-0.820
A4=-2.95216e-05,A6=-6.23160e-08,A8=-1.51016e-13
第１３面
k=0.000
A4=-8.67423e-06,A6=3.68045e-08,A8=-1.97992e-10
第１４面
k=0.000
A4=3.93110e-05,A6=3.52998e-08,A8=-3.51650e-12
第２２面
k=0.000
A4=-2.50000e-05,A6=-1.33516e-08
第２３面
k=0.000
A4=2.12952e-05,A6=-2.60853e-08
ズームデータ
ズーム比           3.01
ＷＥ      ＳＴ      ＴＥ
ｆ                 8.15     14.15     24.57
ＦＮＯ．           4.08      4.08      4.08
２ω             115.45     77.05     46.92
ＩＨ              11.15     11.15     11.15
ＢＦ(in air)      14.56     14.56     14.56
ＬＴＬ(in air)   126.43    111.18    118.51
d7          24.47      8.60      1.00
d11         23.01     10.12      3.12
d21          1.00     14.51     36.43
各群焦点距離
f1=-16.14   f2=77.26   f3=37.87   f4=74.35
【０２６８】
数値実施例９
単位  ｍｍ
面データ
面番号         r          d         nd       νd
物面        ∞         ∞
1      87.089      2.40     1.77250    49.60
2      17.650      5.00
3*     33.810      2.50     1.74320    49.34
4*     13.943     10.84
5     -30.694      1.80     1.43700    95.10
6      37.681      4.70     1.88300    40.76
7    -141.997      可変
8*     46.997      2.59     1.55332    71.68
9*    978.999      可変
10(絞り)  ∞        1.30
11*     15.422      8.18     1.49700    81.54
12*    -36.365      1.53
13     145.373      3.81     1.54072    47.23
14     -11.160      0.90     1.81600    46.62
15      13.886      6.36     1.49700    81.61
16     -16.582      0.30
17      37.219      0.80     1.81600    46.62
18      23.131      可変
19*    124.447      4.80     1.49710    81.56
20*    -22.240      1.00
21     -24.187      1.50     1.90366    31.32
22     -38.662     15.24
像面        ∞
非球面データ
第３面
k=0.000
A4=3.09903e-05,A6=-3.99054e-08,A8=-7.62653e-16,
A10=-1.63243e-13
第４面
k=-0.822
A4=1.11404e-05,A6=7.80828e-08,A8=-1.13114e-09,
A10=1.23370e-12
第８面
k=0.000
A4=-6.44544e-06,A6=9.32720e-08
第９面
k=0.000
A4=-1.45480e-07,A6=9.23580e-08
第１１面
k=0.000
A4=-4.96485e-06,A6=6.59692e-08,A8=-5.99620e-10
第１２面
k=0.000
A4=3.23390e-05,A6=-9.37876e-08,A8=-1.87194e-09
第１９面
k=0.000
A4=-4.98509e-06
第２０面
k=0.000
A4=1.48360e-05
ズームデータ
ズーム比           3.00
ＷＥ      ＳＴ      ＴＥ
ｆ                 8.16     14.14     24.50
ＦＮＯ．           4.08      4.08      4.08
２ω             114.42     77.43     47.72
ＩＨ              11.15     11.15     11.15
ＢＦ(in air)      15.24     15.24     15.24
ＬＴＬ(in air)   132.01    115.44    118.24
d7          25.74      8.67      2.00
d9          28.73     15.86      4.79
d18          2.00     15.37     35.91
各群焦点距離
f1=-16.51   f2=89.13   f3=38.24   f4=78.14
【０２６９】
数値実施例１０
単位  ｍｍ
面データ
面番号         r          d         nd       νd
物面        ∞         ∞
1      95.655      2.40     1.77250    49.60
2      18.253      1.55
3*     20.505      2.50     1.74320    49.34
4*     10.549     12.80
5     -33.462      1.80     1.43700    95.10
6      35.220      4.91     1.90043    37.37
7    -327.767      可変
8*     39.857      2.10     1.55332    71.68
9*    177.985      可変
10(絞り)  ∞        1.30
11*     15.005      6.27     1.49700    81.54
12*    -92.931      2.41
13      35.061      2.08     1.43700    95.10
14     260.524      1.00     1.81600    46.62
15      21.619      0.60
16      30.355      4.53     1.49700    81.61
17      -9.731      0.90     1.81600    46.62
18      17.803      3.74     1.54072    47.23
19     -15.828      可変
20*     31.573      4.80     1.49710    81.56
21*    -59.560      1.00
22     -67.926      1.50     2.00100    29.13
23    -261.754      可変
像面        ∞
非球面データ
第３面
k=0.000
A4=2.92584e-05,A6=-8.39791e-08,A8=5.75328e-11,
A10=-4.27366e-13
第４面
k=-0.781
A4=1.70583e-05,A6=5.38913e-08,A8=-1.73871e-09,
A10=2.42852e-12
第８面
k=0.000
A4=-7.75250e-06,A6=9.15822e-08
第９面
k=0.000
A4=-1.45480e-07,A6=9.23580e-08
第１１面
k=0.000
A4=-4.31833e-06,A6=4.17580e-08,A8=-4.15153e-10
第１２面
k=0.000
A4=1.64697e-05,A6=-3.69696e-08,A8=-9.62939e-10
第２０面
k=0.000
A4=1.48594e-06,A6=3.10005e-08
第２１面
k=0.000
A4=1.01577e-05,A6=1.29864e-08
ズームデータ
ズーム比           3.02
ＷＥ      ＳＴ      ＴＥ
ｆ                 8.12     14.11     24.50
ＦＮＯ．           4.08      4.08      4.08
２ω             114.67     78.19     49.11
ＩＨ              11.15     11.15     11.15
ＢＦ(in air)      15.78     16.98     20.05
ＬＴＬ(in air)   125.84    113.52    121.94
d7          25.55      9.00      2.00
d9          25.31     14.52      4.93
d19          1.00     14.84     36.77
d23         15.78     16.98     20.05
各群焦点距離
f1=-16.34    f2=92.32    f3=39.83    f4=73.87
【０２７０】
数値実施例１１
単位  ｍｍ
面データ
面番号         r          d         nd       νd
物面        ∞         ∞
1      87.040      2.40     1.77250    49.60
2      17.951      2.00
3*     19.797      2.50     1.74320    49.34
4*     10.828     13.59
5     -34.342      1.80     1.43700    95.10
6      36.679      5.37     1.90043    37.37
7    -612.823      可変
8*     45.801      3.61     1.55332    71.68
9*    747.899      可変
10(絞り)  ∞        1.30
11*     15.578      6.42     1.49700    81.54
12*    -56.178      2.26
13      32.341      1.84     1.43700    95.10
14     307.297      1.00     1.81600    46.62
15      18.998      1.00
16      31.418      4.78     1.49700    81.61
17     -10.524      0.90     1.81600    46.62
18      19.769      4.31     1.54072    47.23
19     -15.373      可変
20*     44.567      4.80     1.49710    81.56
21*    -42.028      1.00
22     -36.214      1.50     2.00100    29.13
23     -65.843     15.66
像面        ∞
非球面データ
第３面
k=0.000
A4=3.70203e-05,A6=-1.33830e-07,A8=2.49245e-10,
A10=-7.95655e-13
第４面
k=-0.791
A4=3.20127e-05,A6=9.74838e-09,A8=-1.47651e-09,
A10=1.84576e-12
第８面
k=0.000
A4=-5.06749e-06,A6=8.63869e-08
第９面
k=0.000
A4=-1.45480e-07,A6=9.23580e-08
第１１面
k=0.000
A4=-1.21921e-05,A6=2.46107e-08,A8=-3.03320e-10
第１２面
k=0.000
A4=1.96033e-05,A6=-3.19540e-08,A8=-3.28292e-10  
第２０面
k=0.000
A4=7.22172e-06,A6=2.58208e-08
第２１面
k=0.000
A4=1.66799e-05,A6=-6.75995e-09
ズームデータ
ズーム比           3.02
ＷＥ      ＳＴ      ＴＥ
ｆ                 8.16     14.18     24.63
ＦＮＯ．           4.08      4.08      4.08
２ω             114.43     76.95     48.05
ＩＨ              11.15     11.15     11.15
ＢＦ(in air)      15.66     15.66     15.66
ＬＴＬ(in air)   130.71    114.96    121.23
d7          25.50      8.11      0.30
d9          26.19     13.88      5.60
d19          1.00     14.95     37.30
各群焦点距離
f1=-16.31    f2=88.01    f3=38.35    f4=91.87
【０２７１】
数値実施例１２
単位  ｍｍ
面データ
面番号         r          d         nd       νd
物面        ∞         ∞
1      83.605      2.40     1.77250    49.60
2      17.301      4.60
3*     22.128      2.50     1.74320    49.34
4*     11.670     11.73
5     -21.896      1.80     1.43700    95.10
6    -378.606      5.31     1.90043    37.37
7     -39.979      可変
8*     18.418      1.81     1.55332    71.68
9*     23.267      可変
10(絞り)  ∞        1.30
11*     14.287      6.52     1.49700    81.54
12*    -57.203      2.46
13      53.169      2.02     1.43700    95.10
14     263.283      1.00     1.81600    46.62
15      21.983      1.32
16      24.381      4.94     1.49700    81.61
17     -11.089      0.90     1.81600    46.62
18      15.047      4.68     1.54072    47.23
19     -17.884      可変
20*     59.389      4.80     1.49710    81.56
21*    -25.563      1.00
22     -38.631      1.50     2.00100    29.13
23    -113.853     15.46
像面        ∞
非球面データ
第３面
k=0.000
A4=-4.17562e-05,A6=5.05060e-08,A8=-1.43082e-14,
A10=-2.77994e-13
第４面
k=-0.806
A4=-8.72078e-05,A6=7.49510e-08,A8=-1.05384e-10,
A10=-6.10678e-13,A12=-3.00000e-17
第８面
k=0.000
A4=-1.01247e-05,A6=4.96396e-08
第９面
k=0.000
A4=-1.45480e-07,A6=9.23580e-08
第１１面
k=0.000
A4=-1.68944e-05,A6=1.11512e-08,A8=-9.48580e-11
第１２面
k=0.000
A4=2.56298e-05,A6=2.06034e-09,A8=1.57289e-12
第２０面
k=0.000
A4=1.31551e-05,A6=-1.80123e-08
第２１面
k=0.000
A4=4.82435e-05,A6=-7.82303e-08
ズームデータ
ズーム比           3.10
ＷＥ      ＳＴ      ＴＥ
ｆ                 8.16     14.37     25.29
ＦＮＯ．           4.08      4.08      4.08
２ω             115.73     76.48     46.03
ＩＨ              11.15     11.15     11.15
ＢＦ(in air)      15.46     15.46     15.46
ＬＴＬ(in air)   129.93    114.78    121.00
d7          24.72      7.28      0.30
d9          26.17     14.79      5.35
d19          1.00     14.65     37.30
各群焦点距離
f1=-17.66   f2=140.96   f3=35.81   f4=90.22
【０２７２】
数値実施例１３
単位  ｍｍ
面データ
面番号         r          d         nd       νd
物面        ∞         ∞
1      47.989      2.40     1.77250    49.60
2      18.795      2.20
3*     19.677      2.50     1.74320    49.34
4*     10.381     16.20
5     -30.883      1.80     1.43700    95.10
6      40.724      5.33     1.90043    37.37
7   13917.619      可変
8*     48.676      3.68     1.55332    71.68
9*   4059.220      可変
10(絞り)  ∞        0.50
11*     15.485      6.28     1.55332    71.68
12*    -85.231      1.73
13      22.227      1.73     1.43700    95.10
14      81.222      1.00     1.81600    46.62
15      14.604      1.00
16      44.621      4.34     1.49700    81.61
17      -9.129      0.90     1.81600    46.62
18      25.766      3.95     1.54072    47.23
19     -12.983      可変
20    -321.762      0.80     1.74339    40.17
21      94.155      0.30
22      24.287      5.00     1.53775    74.70
23     -60.967      1.00
24     -78.174      1.00     2.00357    29.02
25    -684.923     16.21
像面        ∞
非球面データ
第３面
k=0.000
A4=4.16407e-05,A6=-1.33564e-07,A8=-1.67225e-10,
A10=3.17284e-13
第４面
k=-0.788
A4=7.15666e-05,A6=5.64282e-08,A8=-3.46771e-09,
A10=8.19242e-12
第８面
k=0.000
A4=-5.61126e-06,A6=-2.72213e-07,A8=6.46605e-10
第９面
k=0.000
A4=-4.01083e-06,A6=-2.79305e-07,A8=8.07850e-10
第１１面
k=0.000
A4=-1.14534e-05,A6=-2.35138e-08,A8=-1.98849e-11
第１２面
k=0.000
A4=1.91802e-05,A6=-5.17539e-08,A8=-6.42213e-10
ズームデータ
ズーム比           3.05
ＷＥ      ＳＴ      ＴＥ
ｆ                 8.14     14.21     24.79
ＦＮＯ．           4.08      4.08      4.08
２ω             111.54     78.27     50.58
ＩＨ              11.15     11.15     11.15
ＢＦ(in air)      16.21     16.21     16.21
ＬＴＬ(in air)   132.04    116.79    123.06
d7          25.37      7.91      0.30
d9          25.81     14.08      5.60
d19          1.00     14.95     37.30
各群焦点距離
f1=-16.19   f2=89.01   f3=37.74   f4=102.21
【０２７３】
次に、各実施例における条件式の値を以下に掲げる。-（ハイフン）は該当する構成がないことを示す。
実施例１   実施例２   実施例３   実施例４
(1)D23W/D23T         3.84       3.60       3.70       5.72
(2)DL23/DL12         6.56       7.08       4.91       2.23
(3)(R13a+R13b)/
(R13a-R13b)     0.49      -1.38        -        -0.86
(4)(R11a+R11b)/
(R11a-R11b)     1.38       1.42       2.03       1.32
(5)D31/fw            0.52       0.81       0.81       0.79
(6)(D31+D32)/fw      0.97       1.07       1.04       1.33
(7)f11/f12           1.04       0.57       0.99       1.15
(8)(R12b+R13a)/
(R12b-R13a)    -0.88      -0.45      -1.34      -0.58
(9)(R2a+R2b)/
(R2a-R2b)      -1.41      -1.54      -6.35      -0.24
(10)β2w×β3w      -0.66      -0.65      -0.65      -0.65
(11)β2t×β3t      -1.98      -1.96      -1.95      -1.99
(12)β3w            -0.15      -0.21      -0.31      -0.16
(13)β3t/β3w        7.19       5.53       4.23       6.72
(14)nd2-nd1          0.32       0.32       0.32        -
(15)nd2-nd3          0.28       0.28       0.28        -
(16)fw/R3ca         -0.56      -0.70      -0.86        -
(17)fw/R3cb          0.44       0.32       0.36        -
(18)(R3ca+R3cb)
(R3ca-R3cb)   -0.12      -0.37      -0.41        -
(19)(R4a+R4b)/
(R4a-R4b)      0.37      -0.13      -0.02     -44.22
(20)D12W/D12T       13.39      83.98       9.42      25.70
(21)β2t             1.83       1.66       1.48       1.79
(22)(β2w/β2t)/z    0.80       0.61       0.47       0.71
(23)Skw/fw           1.96       1.91       1.91       1.86
実施例５   実施例６   実施例７   実施例８
(1)D23W/D23T         4.09       4.47       2.01       5.50
(2)DL23/DL12         7.12      66.50       4.04       2.23
(3)(R13a+R13b)/
(R13a-R13b)    -7.69     -70.75     -1.58       -1.44
(4)(R11a+R11b)/
(R11a-R11b)     1.50       1.23      1.72        1.31
(5)D31/fw            0.70       1.49      0.73        0.77
(6)(D31+D32)/fw      0.88       1.70      0.97        1.00 
(7)f11/f12           0.73       0.75      0.94        1.26
(8)(R12b+R13a)/
(R12b-R13a)    -0.63      -0.65     -0.42       -0.44
(9)(R2a+R2b)/
(R2a-R2b)      -0.97      -1.17     -3.61       -0.37
(10)β2w×β3w      -0.70      -0.68     -0.67       -0.67
(11)β2t×β3t      -2.11      -2.05     -2.04       -2.03
(12)β3w            -0.07      -0.08     -0.22       -0.16
(13)β3t/β3w       14.81      13.04      5.62        6.89
(14)nd2-nd1          0.32       0.32      0.32         -
(15)nd2-nd3          0.28       0.28      0.28         -
(16)fw/R3ca         -0.71      -0.42     -0.68         -
(17)fw/R3cb          0.20       0.16      0.58         -
(18)(R3ca+R3cb)/
(R3ca-R3cb)   -0.56      -0.45     -0.08         -
(19)(R4a+R4b)/
(R4a-R4b)      0.21      -1.00     -1.09       -4.32
(20)D12W/D12T       12.92      16.25     13.97       24.47
(21)β2t             2.06       1.99      1.65        1.85
(22)(β2w/β2t)/z    1.64       1.45      0.61        0.76
(23)Skw/fw           1.96       2.02      1.97        1.79
実施例９  実施例１０  実施例１１  実施例１２
(1)D23W/D23T         4.93      4.28        3.98        4.13
(2)DL23/DL12         2.17      8.24        6.79        2.55
(3)(R13a+R13b)/
(R13a-R13b)    -1.55     -1.23       -1.12       -3.42
(4)(R11a+R11b)/
(R11a-R11b)     1.51      1.47        1.52        1.52
(5)D31/fw            1.00      0.77        0.79        0.80 
(6)(D31+D32)/fw      1.47      1.03        1.01        1.05 
(7)f11/f12           0.86      0.90        0.81        0.78
(8)(R12b+R13a)/
(R12b-R13a)    -0.38     -0.52       -0.52       -0.30
(9)(R2a+R2b)/
(R2a-R2b)      -1.10     -1.58       -1.13       -8.60
(10)β2w×β3w      -0.64     -0.71       -0.65       -0.60
(11)β2t×β3t      -1.92     -2.32       -1.95       -1.85
(12)β3w            -0.19     -0.24       -0.19       -0.33
(13)β3t/β3w        5.72      5.78        5.92        4.07
(14)nd2-nd1          0.28      0.32        0.32        0.32
(15)nd2-nd3          0.32      0.28        0.28        0.28
(16)fw/R3ca         -0.73     -0.83       -0.78       -0.74
(17)fw/R3cb          0.59      0.46        0.41        0.54
(18)(R3ca+R3cb)/
(R3ca-R3cb)   -0.11     -0.29       -0.31       -0.15
(19)(R4a+R4b)/
(R4a-R4b)      0.53     -0.78       -0.19       -0.31
(20)D12W/D12T       12.87     12.78       84.99       82.40 
(21)β2t             1.78      1.69        1.71        1.38
(22)(β2w/β2t)/z    0.63      0.58        0.65        0.42
(23)Skw/fw           1.87      1.94        1.92        1.89
実施例１３
(1)D23W/D23T         4.31
(2)DL23/DL12         7.36
(3)(R13a+R13b)/
(R13a-R13b)    -1.00
(4)(R11a+R11b)/
(R11a-R11b)     2.29
(5)D31/fw            0.77
(6)(D31+D32)/fw      0.98
(7)f11/f12           1.24
(8)(R12b+R13a)/
(R12b-R13a)    -0.50
(9)(R2a+R2b)/
(R2a-R2b)      -1.02
(10)β2w×β3w      -0.64
(11)β2t×β3t      -1.96
(12)β3w            -0.20
(13)β3t/β3w        5.80
(14)nd2-nd1          0.32
(15)nd2-nd3          0.28
(16)fw/R3ca         -0.89
(17)fw/R3cb          0.32
(18)(R3ca+R3cb)/
(R3ca-R3cb)   -0.48
(19)(R4a+R4b)/
(R4a-R4b)     -2.77
(20)D12W/D12T       84.57
(21)β2t             1.69
(22)(β2w/β2t)/z    0.63
(23)Skw/fw           1.99
【０２７４】
図２７は、撮像装置としての一眼ミラーレスカメラの断面図である。図２７において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０２７５】
そして、一眼ミラーレスカメラ１の撮影光学系２として、例えば上記実施例に示したズームレンズが用いられる。
【０２７６】
図２８、図２９は、撮像装置の構成の概念図を示す。図２８は撮像装置としてのデジタルカメラ４０の前方斜視図、図２９は同後方斜視図である。このデジタルカメラ４０の撮影光学系４１に、本実施例のズームレンズが用いられている。
【０２７７】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２７８】
図３０は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２７９】
図３０に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２８０】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２８１】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２８２】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２８３】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２８４】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２８５】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２８６】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２８７】
なお、本発明は、その趣旨を逸脱しない範囲で様々な変形例をとることができる。また、上記各実施例により示された形状枚数には必ずしも限定されない。また、上記各実施例において、カバーガラスは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０２８８】
以上のように、本発明は、広い画角と高い変倍比を有し、光学系の全長が短く、諸収差が良好に補正されたズームレンズ及びそれを備えた撮像装置に適している。
【符号の説明】
【０２８９】
Ｇ１  第１レンズ群
Ｇ２  第２レンズ群
Ｇ３  第３レンズ群
Ｇ４  第４レンズ群
Ｓ  開口絞り
Ｉ  像面
１  一眼ミラーレスカメラ
２  撮影光学系
３  マウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2019174714.tif 000003
【図２】
2019174714.tif 000004
【図３】
2019174714.tif 000005
【図４】
2019174714.tif 000006
【図５】
2019174714.tif 000007
【図６】
2019174714.tif 000008
【図７】
2019174714.tif 000009
【図８】
2019174714.tif 000010
【図９】
2019174714.tif 000011
【図１０】
2019174714.tif 000012
【図１１】
2019174714.tif 000013
【図１２】
2019174714.tif 000014
【図１３】
2019174714.tif 000015
【図１４】
2019174714.tif 000016
【図１５】
2019174714.tif 000017
【図１６】
2019174714.tif 000018
【図１７】
2019174714.tif 000019
【図１８】
2019174714.tif 000020
【図１９】
2019174714.tif 000021
【図２０】
2019174714.tif 000022
【図２１】
2019174714.tif 000023
【図２２】
2019174714.tif 000024
【図２３】
2019174714.tif 000025
【図２４】
2019174714.tif 000026
【図２５】
2019174714.tif 000027
【図２６】
2019174714.tif 000028
【図２７】
2019174714.tif 000029
【図２８】
2019174714.tif 000030
【図２９】
2019174714.tif 000031
【図３０】
2019174714.tif 000032